(57)【特許請求の範囲】
【請求項１】
少なくとも１枚のレンズ素子で構成されたレンズ群を複数有するズームレンズ系であって、
物体側から像側へと順に、
負のパワーを有し、少なくとも２枚のレンズ素子からなる第１レンズ群と、
正のパワーを有する第２レンズ群と、
後続レンズ群とからなり、
前記後続レンズ群が、正のパワーを有する第３レンズ群であるか、又は、物体側から像側へと順に、正のパワーを有する第３レンズ群と、正のパワーを有する第４レンズ群とからなり、
撮像時の広角端から望遠端へのズーミングの際に、前記第１レンズ群と第２レンズ群との間隔が減少し、第２レンズ群と第３レンズ群との間隔が増大するように第１レンズ群、第２レンズ群及び第３レンズ群を光軸に沿ってそれぞれ移動させて変倍を行い、
前記ズーミングの際に、前記第４レンズ群が像面に対して固定されており、
以下の条件（１）、（２）及び（ａ）を満足する、ズームレンズ系：
ｆＷ／Ｄ１＞７．５  ・・・（１）
ｆＴ／Ｄ１≧４４．３  ・・・（２）
Ｚ＝ｆＴ／ｆＷ＞４．０  ・・・（ａ）
ここで、
ｆＷ：広角端における全系の焦点距離、
ｆＴ：望遠端における全系の焦点距離、
Ｄ１：第１レンズ群の最物体側に位置するレンズ素子の中心厚み
である。
【請求項２】
以下の条件（３）を満足する、請求項１に記載のズームレンズ系：
０．５０＜ＤＧ１／Ｉｒ＜１．０６  ・・・（３）
ここで、
ＤＧ１：第１レンズ群の中心厚み、
Ｉｒ：次式で表される値
Ｉｒ＝ｆＴ×ｔａｎ（ωＴ）、
ｆＴ：望遠端における全系の焦点距離、
ωＴ：望遠端における最大画角の半値（°）
である。
【請求項３】
以下の条件（４）を満足する、請求項１に記載のズームレンズ系：
０．６０＜（ＤＧ１＋ＤＧ３）／Ｉｒ＜１．４０  ・・・（４）
ここで、
ＤＧ１：第１レンズ群の中心厚み、
ＤＧ３：第３レンズ群の中心厚み、
Ｉｒ：次式で表される値
Ｉｒ＝ｆＴ×ｔａｎ（ωＴ）、
ｆＴ：望遠端における全系の焦点距離、
ωＴ：望遠端における最大画角の半値（°）
である。
【請求項４】
以下の条件（５）を満足する、請求項１に記載のズームレンズ系：
０．０１＜Ｄ１／Ｄ１２＜０．４０  ・・・（５）
ここで、
Ｄ１：第１レンズ群の最物体側に位置するレンズ素子の中心厚み、
Ｄ１２：第１レンズ群の最物体側に位置するレンズ素子と該最物体側に位置するレンズ素子と隣り合うレンズ素子との空気間隔
である。
【請求項５】
以下の条件（６）を満足する、請求項１に記載のズームレンズ系：
１．２＜（（２×Ｄ２×Ｒ２Ｆ×Ｒ２Ｒ）／（Ｒ２Ｒ−Ｒ２Ｆ））０．５／Ｉｒ＜２．０
・・・（６）
ここで、
Ｄ２：第１レンズ群の最物体側に位置するレンズ素子と隣り合うレンズ素子の中心厚み、
Ｒ２Ｆ：第１レンズ群の最物体側に位置するレンズ素子と隣り合うレンズ素子の物体側面の曲率半径、
Ｒ２Ｒ：第１レンズ群の最物体側に位置するレンズ素子と隣り合うレンズ素子の像側面の曲率半径、
Ｉｒ：次式で表される値
Ｉｒ＝ｆＴ×ｔａｎ（ωＴ）、
ｆＴ：望遠端における全系の焦点距離、
ωＴ：望遠端における最大画角の半値（°）
である。
【請求項６】
第１レンズ群が、物体側から像側へと順に、
最物体側に位置するレンズ素子である、負のパワーを有する第１レンズ素子と、
前記最物体側に位置するレンズ素子と隣り合うレンズ素子である、正のパワーを有し、物体側に凸面を向けたメニスカス形状の第２レンズ素子と
で構成される、請求項１に記載のズームレンズ系。
【請求項７】
第１レンズ群が、非球面を有するレンズ素子を少なくとも１枚含む、請求項１に記載のズームレンズ系。
【請求項８】
第１レンズ群が、少なくとも２面の非球面を含む、請求項１に記載のズームレンズ系。
【請求項９】
第２レンズ群が、少なくとも１組の接合レンズ素子を含み、該接合レンズ素子の接合面が物体側に凸形状であり、以下の条件（７）を満足する、請求項１に記載のズームレンズ系：
１．０３＜Ｎｄ２／Ｎｄ１＜２．００  ・・・（７）
ここで、
Ｎｄ１：接合レンズ素子の、最物体側に位置するレンズ素子のｄ線に対する屈折率、
Ｎｄ２：接合レンズ素子の、最物体側に位置するレンズ素子と接合しているレンズ素子のｄ線に対する屈折率
である。
【請求項１０】
第３レンズ群が、１枚のレンズ素子で構成される、請求項１に記載のズームレンズ系。
【請求項１１】
以下の条件（８）を満足する、請求項１０に記載のズームレンズ系：
０．５＜（（２×Ｄ７×Ｒ７Ｆ×Ｒ７Ｒ）／（Ｒ７Ｒ−Ｒ７Ｆ））０．５／Ｉｒ＜１．５
・・・（８）
ここで、
Ｄ７：第３レンズ群のレンズ素子の中心厚み、
Ｒ７Ｆ：第３レンズ群のレンズ素子の物体側面の曲率半径、
Ｒ７Ｒ：第３レンズ群のレンズ素子の像側面の曲率半径、
Ｉｒ：次式で表される値
Ｉｒ＝ｆＴ×ｔａｎ（ωＴ）、
ｆＴ：望遠端における全系の焦点距離、
ωＴ：望遠端における最大画角の半値（°）
である。
【請求項１２】
第３レンズ群のレンズ素子が、非球面を含む、請求項１０に記載のズームレンズ系。
【請求項１３】
第３レンズ群のレンズ素子が、樹脂材料からなる、請求項１０に記載のズームレンズ系。
【請求項１４】
第３レンズ群が、撮像時の広角端から望遠端へのズーミングの際に、物体側に凸の軌跡を描いて光軸に沿って移動する、請求項１に記載のズームレンズ系。
【請求項１５】
第２レンズ群が、光軸に対して垂直方向に移動する、請求項１に記載のズームレンズ系。
【請求項１６】
以下の条件（９）及び（１０）を全系において満足する、請求項１５に記載のズームレンズ系：
ＹＴ＞Ｙ  ・・・（９）
１．５＜（Ｙ／ＹＴ）／（ｆ／ｆＴ）＜３．０  ・・・（１０）
ここで、
ｆ：全系の焦点距離、
ｆＴ：望遠端における全系の焦点距離、
Ｙ：全系の焦点距離ｆにおける、第２レンズ群の、最大ぶれ補正時の光軸に対して垂直方向への移動量、
ＹＴ：望遠端での全系の焦点距離ｆＴにおける、第２レンズ群の、最大ぶれ補正時の光軸に対して垂直方向への移動量
である。
【請求項１７】
物体の光学的な像を電気的な画像信号として出力可能な撮像装置であって、
物体の光学的な像を形成するズームレンズ系と、
該ズームレンズ系により形成された光学的な像を電気的な画像信号に変換する撮像素子とを備え、
前記ズームレンズ系が、請求項１に記載のズームレンズ系である、撮像装置。
【請求項１８】
物体の光学的な像を電気的な画像信号に変換し、変換された画像信号の表示及び記憶の少なくとも一方を行うカメラであって、
物体の光学的な像を形成するズームレンズ系と、該ズームレンズ系により形成された光学的な像を電気的な画像信号に変換する撮像素子とを含む撮像装置を備え、
前記ズームレンズ系が、請求項１に記載のズームレンズ系である、カメラ。
【発明の詳細な説明】
【技術分野】
【０００１】
本発明は、ズームレンズ系、撮像装置及びカメラに関する。特に本発明は、高解像度を有するのは勿論のこと、光学全長（レンズ全長）が短いだけでなく、変倍比が５倍程度と大きく、しかも広角端での画角が８２°程度で広角撮影に充分に適応し得るズームレンズ系、該ズームレンズ系を含む撮像装置、及び該撮像装置を備えた薄型で極めてコンパクトなカメラに関する。
【背景技術】
【０００２】
近年、高画素のＣＣＤ（Ｃｈａｒｇｅ  Ｃｏｕｐｌｅｄ  Ｄｅｖｉｃｅ）やＣＭＯＳ（Ｃｏｍｐｌｅｍｅｎｔａｒｙ  Ｍｅｔａｌ−Ｏｘｉｄｅ  Ｓｅｍｉｃｏｎｄｕｃｔｏｒ）等の固体撮像素子の開発が進み、これら高画素の固体撮像素子に対応した、高い光学性能を有する撮像光学系を含む撮像装置を備えたデジタルスチルカメラやデジタルビデオカメラ（以下、単に「デジタルカメラ」という）が急速に普及してきている。このような高い光学性能を有するデジタルカメラの中でも、特にコンパクトタイプのデジタルカメラの需要が高まってきている。
【０００３】
前記コンパクトタイプのデジタルカメラに対しては、携帯及び収納が容易であるという点から、さらなる薄型化が求められている。このようなコンパクトタイプで薄型のデジタルカメラを実現するために、従来より、物体側から像側へと順に、負のパワーを有する第１レンズ群と、正のパワーを有する第２レンズ群と、正のパワーを有する第３レンズ群とが配置されたネガティブリード型の３群構成で、光学全長（レンズ全長：レンズ系全体の最も物体側のレンズ面の頂点から像面までの距離）が短いズームレンズ系が種々提案されている。
【０００４】
例えば特開２００８−２４１７９４号公報には、物体側から像側へと順に負正正の３つのレンズ群を有し、変倍時に各レンズ群の間隔が変化し、全系の広角端と望遠端での焦点距離と、第２レンズ群の望遠端での結像倍率と、第２レンズ群を構成するレンズの焦点距離、アッベ数、部分分散比、屈折率、曲率半径とが特定の関係を満足するズームレンズが開示されている。かかる特開２００８−２４１７９４号公報に開示のズームレンズは、広角端での画角が大きく、比較的大きい変倍比を有するものである。
【０００５】
特開２００７−１４０３５９号公報には、物体側から像側へと順に少なくとも負正の２つのレンズ群を有し、変倍時に各レンズ群の間隔が変化し、第１レンズ群を構成するレンズの屈折率と焦点距離と曲率半径とが特定の関係を満足するズームレンズが開示されている。かかる特開２００７−１４０３５９号公報に開示のズームレンズは、光学全長の短縮化が図られ、全変倍範囲にわたり高い光学性能を有するものである。
【０００６】
特開２００６−２２７１９７号公報には、物体側から像側へと順に負正正の３つのレンズ群を有し、広角端と比較して望遠端で、第１、第２レンズ群の間隔が減少し、第２、第３レンズ群の間隔が増大するように各レンズ群を移動させて変倍を行い、第１レンズ群は負正２枚のレンズから、第２レンズ群は正と正負接合の３枚のレンズから、第３レンズ群は１枚の正レンズからなり、第２レンズ群の望遠端での結像倍率が特定の関係を満足するズームレンズが開示されている。かかる特開２００６−２２７１９７号公報に開示のズームレンズは、所望の光学性能を維持しつつ、比較的大きい変倍比を有するものである。
【０００７】
特許第３５８９５５５号公報には、物体側から像側へと順に負正正の３つのレンズ群を有し、変倍時に第１レンズ群は像側に凸の奇跡を描いて移動し、第２レンズ群は広角端から望遠端への移動に際して物体側へ単調に移動し、第３レンズ群は物体側に凸の奇跡を描いて移動し、全系の広角端の焦点距離と各レンズ群の焦点距離とが特定の関係を満足するズームレンズが開示されている。かかる特許第３５８９５５５号公報に開示のズームレンズは、光学全長の短縮化が図られ、少ないレンズ枚数で歪曲収差を抑えたものである。
【０００８】
特許第３８６８０９２号公報には、物体側から像側へと順に負正正の３つのレンズ群を有し、変倍時に第１レンズ群は像側に凸の奇跡を描いて移動し、第２レンズ群は広角端から望遠端への移動に際して物体側へ単調に移動し、第３レンズ群は物体側に凸の奇跡を描いて移動し、全系の広角端の焦点距離と各レンズ群の焦点距離とが特定の関係を満足するズームレンズが開示されている。かかる特許第３８６８０９２号公報に開示のズームレンズは、光学全長の短縮化が図られ、少ないレンズ枚数で歪曲収差を抑えたものである。
【先行技術文献】
【特許文献】
【０００９】
【特許文献１】特開２００８−２４１７９４号公報
【特許文献２】特開２００７−１４０３５９号公報
【特許文献３】特開２００６−２２７１９７号公報
【特許文献４】特許第３５８９５５５号公報
【特許文献５】特許第３８６８０９２号公報
【発明の概要】
【発明が解決しようとする課題】
【００１０】
しかしながら、特開２００８−２４１７９４号公報に開示のズームレンズは、高い光学性能を有し、広角端での画角も７５°と大きく、変倍比も６〜８倍と大きいものの、変倍時における第２レンズ群の光軸上の移動量が大きくなるようなレンズ構成であるので、光学全長が長く、コンパクトタイプのデジタルカメラのさらなる薄型化を図ることができない。
【００１１】
特開２００７−１４０３５９号公報に開示のズームレンズは、光学全長が短いのでコンパクトタイプのデジタルカメラのさらなる薄型化が可能であるものの、変倍比が３倍程度と小さく、広角端での画角も５６°と小さく、近年変倍比が大きくなっているコンパクトタイプのデジタルカメラに対する要求を満足し得るものではない。
【００１２】
特開２００６−２２７１９７号公報に開示のズームレンズは、高い光学性能を有し、変倍比も５倍程度と大きいものの、前記特開２００７−１４０３５９号公報に開示のズームレンズと同様に、広角端での画角も６０°と小さく、近年の広画角に対応したデジタルカメラに対する要求を満足し得るものではない。
【００１３】
特許第３５８９５５５号公報に開示のズームレンズは、前記特開２００７−１４０３５９号公報に開示のズームレンズと同様に、光学全長が短いのでコンパクトタイプのデジタルカメラのさらなる薄型化が可能であるものの、変倍比が３倍程度と小さく、近年変倍比が大きくなっているコンパクトタイプのデジタルカメラに対する要求を満足し得るものではない。
【００１４】
特許第３８６８０９２号公報に開示のズームレンズは、前記特開２００７−１４０３５９号公報及び特許第３５８９５５５号公報に開示のズームレンズと同様に、光学全長が短いのでコンパクトタイプのデジタルカメラのさらなる薄型化が可能であるものの、変倍比が３倍程度と小さく、近年変倍比が大きくなっているコンパクトタイプのデジタルカメラに対する要求を満足し得るものではない。
【００１５】
本発明の目的は、高解像度を有するのは勿論のこと、光学全長が短いだけでなく、変倍比が５倍程度と大きく、しかも広角端での画角が８２°程度で広角撮影に充分に適応し得るズームレンズ系、該ズームレンズ系を含む撮像装置、及び該撮像装置を備えた薄型で極めてコンパクトなカメラを提供することである。
【課題を解決するための手段】
【００１６】
上記目的の１つは、以下のズームレンズ系により達成される。すなわち本発明は、
少なくとも１枚のレンズ素子で構成されたレンズ群を複数有するズームレンズ系であって、
物体側から像側へと順に、
負のパワーを有し、少なくとも２枚のレンズ素子からなる第１レンズ群と、
正のパワーを有する第２レンズ群と、
後続レンズ群とからなり、
前記後続レンズ群が、正のパワーを有する第３レンズ群であるか、又は、物体側から像側へと順に、正のパワーを有する第３レンズ群と、正のパワーを有する第４レンズ群とからなり、
撮像時の広角端から望遠端へのズーミングの際に、前記第１レンズ群と第２レンズ群との間隔が減少し、第２レンズ群と第３レンズ群との間隔が増大するように第１レンズ群、第２レンズ群及び第３レンズ群を光軸に沿ってそれぞれ移動させて変倍を行い、
前記ズーミングの際に、前記第４レンズ群が像面に対して固定されており、
以下の条件（１）、（２）及び（ａ）：
ｆＷ／Ｄ１＞７．５  ・・・（１）
ｆＴ／Ｄ１≧４４．３  ・・・（２）
Ｚ＝ｆＴ／ｆＷ＞４．０  ・・・（ａ）
（ここで、
ｆＷ：広角端における全系の焦点距離、
ｆＴ：望遠端における全系の焦点距離、
Ｄ１：第１レンズ群の最物体側に位置するレンズ素子の中心厚み
である）
を満足するズームレンズ系
に関する。
【００１７】
上記目的の１つは、以下の撮像装置により達成される。すなわち本発明は、
物体の光学的な像を電気的な画像信号として出力可能な撮像装置であって、
物体の光学的な像を形成するズームレンズ系と、
該ズームレンズ系により形成された光学的な像を電気的な画像信号に変換する撮像素子とを備え、
前記ズームレンズ系が、
少なくとも１枚のレンズ素子で構成されたレンズ群を複数有し、
物体側から像側へと順に、
負のパワーを有し、少なくとも２枚のレンズ素子からなる第１レンズ群と、
正のパワーを有する第２レンズ群と、
後続レンズ群とからなり、
前記後続レンズ群が、正のパワーを有する第３レンズ群であるか、又は、物体側から像側へと順に、正のパワーを有する第３レンズ群と、正のパワーを有する第４レンズ群とからなり、
撮像時の広角端から望遠端へのズーミングの際に、前記第１レンズ群と第２レンズ群との間隔が減少し、第２レンズ群と第３レンズ群との間隔が増大するように第１レンズ群、第２レンズ群及び第３レンズ群を光軸に沿ってそれぞれ移動させて変倍を行い、
前記ズーミングの際に、前記第４レンズ群が像面に対して固定されており、
以下の条件（１）、（２）及び（ａ）：
ｆＷ／Ｄ１＞７．５  ・・・（１）
ｆＴ／Ｄ１≧４４．３  ・・・（２）
Ｚ＝ｆＴ／ｆＷ＞４．０  ・・・（ａ）
（ここで、
ｆＷ：広角端における全系の焦点距離、
ｆＴ：望遠端における全系の焦点距離、
Ｄ１：第１レンズ群の最物体側に位置するレンズ素子の中心厚み
である）
を満足するズームレンズ系である、撮像装置
に関する。
【００１８】
上記目的の１つは、以下のカメラにより達成される。すなわち本発明は、
物体の光学的な像を電気的な画像信号に変換し、変換された画像信号の表示及び記憶の少なくとも一方を行うカメラであって、
物体の光学的な像を形成するズームレンズ系と、該ズームレンズ系により形成された光学的な像を電気的な画像信号に変換する撮像素子とを含む撮像装置を備え、
前記ズームレンズ系が、
少なくとも１枚のレンズ素子で構成されたレンズ群を複数有し、
物体側から像側へと順に、
負のパワーを有し、少なくとも２枚のレンズ素子からなる第１レンズ群と、
正のパワーを有する第２レンズ群と、
後続レンズ群とからなり、
前記後続レンズ群が、正のパワーを有する第３レンズ群であるか、又は、物体側から像側へと順に、正のパワーを有する第３レンズ群と、正のパワーを有する第４レンズ群とからなり、
撮像時の広角端から望遠端へのズーミングの際に、前記第１レンズ群と第２レンズ群との間隔が減少し、第２レンズ群と第３レンズ群との間隔が増大するように第１レンズ群、第２レンズ群及び第３レンズ群を光軸に沿ってそれぞれ移動させて変倍を行い、
前記ズーミングの際に、前記第４レンズ群が像面に対して固定されており、
以下の条件（１）、（２）及び（ａ）：
ｆＷ／Ｄ１＞７．５  ・・・（１）
ｆＴ／Ｄ１≧４４．３  ・・・（２）
Ｚ＝ｆＴ／ｆＷ＞４．０  ・・・（ａ）
（ここで、
ｆＷ：広角端における全系の焦点距離、
ｆＴ：望遠端における全系の焦点距離、
Ｄ１：第１レンズ群の最物体側に位置するレンズ素子の中心厚み
である）
を満足するズームレンズ系である、カメラ
に関する。
【発明の効果】
【００１９】
本発明によれば、高解像度を有するのは勿論のこと、光学全長が短いだけでなく、変倍比が５倍程度と大きく、しかも広角端での画角が８２°程度で広角撮影に充分に適応し得るズームレンズ系を提供することができる。さらに本発明によれば、該ズームレンズ系を含む撮像装置、及び該撮像装置を備えた薄型で極めてコンパクトなカメラを提供することができる。
【図面の簡単な説明】
【００２０】
【図１】実施の形態１（実施例１）に係るズームレンズ系の無限遠合焦状態を示すレンズ配置図
【図２】実施例１に係るズームレンズ系の無限遠合焦状態の縦収差図
【図３】実施例１に係るズームレンズ系の望遠端における、像ぶれ補正を行っていない基本状態及び像ぶれ補正状態での横収差図
【図４】実施の形態２（実施例２）に係るズームレンズ系の無限遠合焦状態を示すレンズ配置図
【図５】実施例２に係るズームレンズ系の無限遠合焦状態の縦収差図
【図６】実施例２に係るズームレンズ系の望遠端における、像ぶれ補正を行っていない基本状態及び像ぶれ補正状態での横収差図
【図７】実施の形態３（実施例３）に係るズームレンズ系の無限遠合焦状態を示すレンズ配置図
【図８】実施例３に係るズームレンズ系の無限遠合焦状態の縦収差図
【図９】実施例３に係るズームレンズ系の望遠端における、像ぶれ補正を行っていない基本状態及び像ぶれ補正状態での横収差図
【図１０】実施の形態４（実施例４）に係るズームレンズ系の無限遠合焦状態を示すレンズ配置図
【図１１】実施例４に係るズームレンズ系の無限遠合焦状態の縦収差図
【図１２】実施例４に係るズームレンズ系の望遠端における、像ぶれ補正を行っていない基本状態及び像ぶれ補正状態での横収差図
【図１３】実施の形態５（実施例５）に係るズームレンズ系の無限遠合焦状態を示すレンズ配置図
【図１４】実施例５に係るズームレンズ系の無限遠合焦状態の縦収差図
【図１５】実施例５に係るズームレンズ系の望遠端における、像ぶれ補正を行っていない基本状態及び像ぶれ補正状態での横収差図
【図１６】実施の形態６（実施例６）に係るズームレンズ系の無限遠合焦状態を示すレンズ配置図
【図１７】実施例６に係るズームレンズ系の無限遠合焦状態の縦収差図
【図１８】実施例６に係るズームレンズ系の望遠端における、像ぶれ補正を行っていない基本状態及び像ぶれ補正状態での横収差図
【図１９】実施の形態７（実施例７）に係るズームレンズ系の無限遠合焦状態を示すレンズ配置図
【図２０】実施例７に係るズームレンズ系の無限遠合焦状態の縦収差図
【図２１】実施例７に係るズームレンズ系の望遠端における、像ぶれ補正を行っていない基本状態及び像ぶれ補正状態での横収差図
【図２２】実施の形態８（実施例８）に係るズームレンズ系の無限遠合焦状態を示すレンズ配置図
【図２３】実施例８に係るズームレンズ系の無限遠合焦状態の縦収差図
【図２４】実施例８に係るズームレンズ系の望遠端における、像ぶれ補正を行っていない基本状態及び像ぶれ補正状態での横収差図
【図２５】実施の形態９（実施例９）に係るズームレンズ系の無限遠合焦状態を示すレンズ配置図
【図２６】実施例９に係るズームレンズ系の無限遠合焦状態の縦収差図
【図２７】実施例９に係るズームレンズ系の望遠端における、像ぶれ補正を行っていない基本状態及び像ぶれ補正状態での横収差図
【図２８】実施の形態１０（実施例１０）に係るズームレンズ系の無限遠合焦状態を示すレンズ配置図
【図２９】実施例１０に係るズームレンズ系の無限遠合焦状態の縦収差図
【図３０】実施例１０に係るズームレンズ系の望遠端における、像ぶれ補正を行っていない基本状態及び像ぶれ補正状態での横収差図
【図３１】実施の形態１１に係るデジタルスチルカメラの概略構成図
【発明を実施するための形態】
【００２１】
（実施の形態１〜１０）
図１、４、７、１０、１３、１６、１９、２２、２５及び２８は、各々実施の形態１〜１０に係るズームレンズ系のレンズ配置図であり、いずれも無限遠合焦状態にあるズームレンズ系を表している。
【００２２】
各図において、（ａ）図は広角端（最短焦点距離状態：焦点距離ｆW）のレンズ構成、（ｂ）図は中間位置（中間焦点距離状態：焦点距離ｆM＝√（ｆW＊ｆT））のレンズ構成、（ｃ）図は望遠端（最長焦点距離状態：焦点距離ｆT）のレンズ構成をそれぞれ表している。また各図において、（ａ）図と（ｂ）図との間に設けられた折れ線の矢印は、上から順に、広角端、中間位置、望遠端の各状態におけるレンズ群の位置を結んで得られる直線である。したがって、広角端と中間位置との間、中間位置と望遠端との間は、単純に直線で接続されているだけであり、実際の各レンズ群の動きとは異なる。さらに各図において、レンズ群に付された矢印は、無限遠合焦状態から近接物体合焦状態へのフォーカシングを表す。すなわち、無限遠合焦状態から近接物体合焦状態へのフォーカシングの際の移動方向を示している。
【００２３】
なお図１、４、７、１０、１３、１６、１９、２２、２５及び２８において、特定の面に付されたアスタリスク＊は、該面が非球面であることを示している。また各図において、各レンズ群の符号に付された記号（＋）及び記号（−）は、各レンズ群のパワーの符号に対応する。また各図において、最も右側に記載された直線は、像面Ｓの位置を表し、該像面Ｓの物体側（像面Ｓと第３レンズ群Ｇ３の最像側レンズ面との間又は像面Ｓと第４レンズ群Ｇ４の最像側レンズ面との間）には、光学的ローパスフィルタや撮像素子のフェースプレート等と等価な平行平板が設けられている。
【００２４】
さらに図１、４、７、１０、１３、１６、１９、２２、２５及び２８において、第２レンズ群Ｇ２と第３レンズ群Ｇ３との間に開口絞りＡが設けられている。該開口絞りＡは、撮影時の広角端から望遠端へのズーミングの際に、第２レンズ群Ｇ２と一体的に光軸上を移動する。
【００２５】
図１に示すように、実施の形態１に係るズームレンズ系において、第１レンズ群Ｇ１は、物体側から像側へと順に、物体側に凸面を向けた負メニスカス形状の第１レンズ素子Ｌ１と、物体側に凸面を向けた正メニスカス形状の第２レンズ素子Ｌ２とからなる。第１レンズ素子Ｌ１は、その両面が非球面である。
【００２６】
実施の形態１に係るズームレンズ系において、第２レンズ群Ｇ２は、物体側から像側へと順に、物体側に凸面を向けた正メニスカス形状の第３レンズ素子Ｌ３と、物体側に凸面を向けた正メニスカス形状の第４レンズ素子Ｌ４と、物体側に凸面を向けた負メニスカス形状の第５レンズ素子Ｌ５と、両凸形状の第６レンズ素子Ｌ６とからなる。これらのうち、第４レンズ素子Ｌ４と第５レンズ素子Ｌ５とは接合されており、後述する対応数値実施例における面データでは、これら第４レンズ素子Ｌ４と第５レンズ素子Ｌ５との間の接着剤層に面番号８が付与されている。また、第３レンズ素子Ｌ３は、その物体側面が非球面である。
【００２７】
実施の形態１に係るズームレンズ系において、第３レンズ群Ｇ３は、両凸形状の第７レンズ素子Ｌ７のみからなる。該第７レンズ素子Ｌ７は、その両面が非球面である。
【００２８】
なお、実施の形態１に係るズームレンズ系において、像面Ｓの物体側（像面Ｓと第７レンズ素子Ｌ７との間）には、平行平板Ｐが設けられている。
【００２９】
実施の形態１に係るズームレンズ系において、撮像時の広角端から望遠端へのズーミングの際に、第１レンズ群Ｇ１は像側に凸の軌跡を描いて物体側へ移動し、第２レンズ群Ｇ２は、単調に物体側へ移動し、第３レンズ群Ｇ３は、単調に像側へ移動する。すなわち、ズーミングに際して、第１レンズ群Ｇ１と第２レンズ群Ｇ２との間隔が減少し、第２レンズ群Ｇ２と第３レンズ群Ｇ３との間隔が増大するように、各レンズ群が光軸に沿ってそれぞれ移動する。
【００３０】
また、無限遠合焦状態から近接合焦状態へのフォーカシング時には、第３レンズ群Ｇ３が光軸に沿って物体側へと移動する。
【００３１】
図４に示すように、実施の形態２に係るズームレンズ系において、第１レンズ群Ｇ１は、物体側から像側へと順に、物体側に凸面を向けた負メニスカス形状の第１レンズ素子Ｌ１と、物体側に凸面を向けた正メニスカス形状の第２レンズ素子Ｌ２とからなる。第１レンズ素子Ｌ１は、その両面が非球面である。
【００３２】
実施の形態２に係るズームレンズ系において、第２レンズ群Ｇ２は、物体側から像側へと順に、物体側に凸面を向けた正メニスカス形状の第３レンズ素子Ｌ３と、物体側に凸面を向けた正メニスカス形状の第４レンズ素子Ｌ４と、物体側に凸面を向けた負メニスカス形状の第５レンズ素子Ｌ５と、両凸形状の第６レンズ素子Ｌ６とからなる。これらのうち、第４レンズ素子Ｌ４と第５レンズ素子Ｌ５とは接合されており、後述する対応数値実施例における面データでは、これら第４レンズ素子Ｌ４と第５レンズ素子Ｌ５との間の接着剤層に面番号８が付与されている。また、第３レンズ素子Ｌ３は、その物体側面が非球面である。
【００３３】
実施の形態２に係るズームレンズ系において、第３レンズ群Ｇ３は、両凸形状の第７レンズ素子Ｌ７のみからなる。該第７レンズ素子Ｌ７は、その両面が非球面である。
【００３４】
なお、実施の形態２に係るズームレンズ系において、像面Ｓの物体側（像面Ｓと第７レンズ素子Ｌ７との間）には、平行平板Ｐが設けられている。
【００３５】
実施の形態２に係るズームレンズ系において、撮像時の広角端から望遠端へのズーミングの際に、第１レンズ群Ｇ１は像側に凸の軌跡を描いて物体側へ移動し、第２レンズ群Ｇ２は、単調に物体側へ移動し、第３レンズ群Ｇ３は、物体側に凸の軌跡を描いて像側へ移動する。すなわち、ズーミングに際して、第１レンズ群Ｇ１と第２レンズ群Ｇ２との間隔が減少し、第２レンズ群Ｇ２と第３レンズ群Ｇ３との間隔が増大するように、各レンズ群が光軸に沿ってそれぞれ移動する。
【００３６】
また、無限遠合焦状態から近接合焦状態へのフォーカシング時には、第３レンズ群Ｇ３が光軸に沿って物体側へと移動する。
【００３７】
図７に示すように、実施の形態３に係るズームレンズ系において、第１レンズ群Ｇ１は、物体側から像側へと順に、物体側に凸面を向けた負メニスカス形状の第１レンズ素子Ｌ１と、物体側に凸面を向けた正メニスカス形状の第２レンズ素子Ｌ２とからなる。第１レンズ素子Ｌ１は、その両面が非球面である。
【００３８】
実施の形態３に係るズームレンズ系において、第２レンズ群Ｇ２は、物体側から像側へと順に、物体側に凸面を向けた正メニスカス形状の第３レンズ素子Ｌ３と、物体側に凸面を向けた正メニスカス形状の第４レンズ素子Ｌ４と、物体側に凸面を向けた負メニスカス形状の第５レンズ素子Ｌ５と、両凸形状の第６レンズ素子Ｌ６とからなる。これらのうち、第４レンズ素子Ｌ４と第５レンズ素子Ｌ５とは接合されており、後述する対応数値実施例における面データでは、これら第４レンズ素子Ｌ４と第５レンズ素子Ｌ５との間の接着剤層に面番号８が付与されている。また、第３レンズ素子Ｌ３は、その物体側面が非球面である。
【００３９】
実施の形態３に係るズームレンズ系において、第３レンズ群Ｇ３は、両凸形状の第７レンズ素子Ｌ７のみからなる。該第７レンズ素子Ｌ７は、その両面が非球面である。
【００４０】
なお、実施の形態３に係るズームレンズ系において、像面Ｓの物体側（像面Ｓと第７レンズ素子Ｌ７との間）には、平行平板Ｐが設けられている。
【００４１】
実施の形態３に係るズームレンズ系において、撮像時の広角端から望遠端へのズーミングの際に、第１レンズ群Ｇ１は像側に凸の軌跡を描いて物体側へ移動し、第２レンズ群Ｇ２は、単調に物体側へ移動し、第３レンズ群Ｇ３は、物体側に凸の軌跡を描いて像側へ移動する。すなわち、ズーミングに際して、第１レンズ群Ｇ１と第２レンズ群Ｇ２との間隔が減少し、第２レンズ群Ｇ２と第３レンズ群Ｇ３との間隔が増大するように、各レンズ群が光軸に沿ってそれぞれ移動する。
【００４２】
また、無限遠合焦状態から近接合焦状態へのフォーカシング時には、第３レンズ群Ｇ３が光軸に沿って物体側へと移動する。
【００４３】
図１０に示すように、実施の形態４に係るズームレンズ系において、第１レンズ群Ｇ１は、物体側から像側へと順に、物体側に凸面を向けた負メニスカス形状の第１レンズ素子Ｌ１と、物体側に凸面を向けた正メニスカス形状の第２レンズ素子Ｌ２とからなる。第１レンズ素子Ｌ１は、その両面が非球面である。
【００４４】
実施の形態４に係るズームレンズ系において、第２レンズ群Ｇ２は、物体側から像側へと順に、物体側に凸面を向けた正メニスカス形状の第３レンズ素子Ｌ３と、物体側に凸面を向けた正メニスカス形状の第４レンズ素子Ｌ４と、物体側に凸面を向けた負メニスカス形状の第５レンズ素子Ｌ５と、両凸形状の第６レンズ素子Ｌ６とからなる。これらのうち、第４レンズ素子Ｌ４と第５レンズ素子Ｌ５とは接合されており、後述する対応数値実施例における面データでは、これら第４レンズ素子Ｌ４と第５レンズ素子Ｌ５との間の接着剤層に面番号８が付与されている。また、第３レンズ素子Ｌ３は、その物体側面が非球面である。
【００４５】
実施の形態４に係るズームレンズ系において、第３レンズ群Ｇ３は、両凸形状の第７レンズ素子Ｌ７のみからなる。該第７レンズ素子Ｌ７は、その両面が非球面である。また、該第７レンズ素子Ｌ７は、樹脂材料からなる。
【００４６】
なお、実施の形態４に係るズームレンズ系において、像面Ｓの物体側（像面Ｓと第７レンズ素子Ｌ７との間）には、平行平板Ｐが設けられている。
【００４７】
実施の形態４に係るズームレンズ系において、撮像時の広角端から望遠端へのズーミングの際に、第１レンズ群Ｇ１は像側に凸の軌跡を描いて物体側へ移動し、第２レンズ群Ｇ２は、単調に物体側へ移動し、第３レンズ群Ｇ３は、物体側に凸の軌跡を描いて像側へ移動する。すなわち、ズーミングに際して、第１レンズ群Ｇ１と第２レンズ群Ｇ２との間隔が減少し、第２レンズ群Ｇ２と第３レンズ群Ｇ３との間隔が増大するように、各レンズ群が光軸に沿ってそれぞれ移動する。
【００４８】
また、無限遠合焦状態から近接合焦状態へのフォーカシング時には、第３レンズ群Ｇ３が光軸に沿って物体側へと移動する。
【００４９】
図１３に示すように、実施の形態５に係るズームレンズ系において、第１レンズ群Ｇ１は、物体側から像側へと順に、物体側に凸面を向けた負メニスカス形状の第１レンズ素子Ｌ１と、物体側に凸面を向けた正メニスカス形状の第２レンズ素子Ｌ２とからなる。第１レンズ素子Ｌ１は、その両面が非球面である。
【００５０】
実施の形態５に係るズームレンズ系において、第２レンズ群Ｇ２は、物体側から像側へと順に、物体側に凸面を向けた正メニスカス形状の第３レンズ素子Ｌ３と、物体側に凸面を向けた負メニスカス形状の第４レンズ素子Ｌ４と、物体側に凸面を向けた負メニスカス形状の第５レンズ素子Ｌ５と、両凸形状の第６レンズ素子Ｌ６とからなる。これらのうち、第３レンズ素子Ｌ３と第４レンズ素子Ｌ４とが接合されており、第５レンズ素子Ｌ５と第６レンズ素子Ｌ６とが接合されている。また、第３レンズ素子Ｌ３は、その物体側面が非球面である。
【００５１】
実施の形態５に係るズームレンズ系において、第３レンズ群Ｇ３は、両凸形状の第７レンズ素子Ｌ７のみからなる。
【００５２】
なお、実施の形態５に係るズームレンズ系において、像面Ｓの物体側（像面Ｓと第７レンズ素子Ｌ７との間）には、平行平板Ｐが設けられている。
【００５３】
実施の形態５に係るズームレンズ系において、撮像時の広角端から望遠端へのズーミングの際に、第１レンズ群Ｇ１は像側に凸の軌跡を描いて物体側へ移動し、第２レンズ群Ｇ２は、単調に物体側へ移動し、第３レンズ群Ｇ３は、物体側に凸の軌跡を描いて像側へ移動する。すなわち、ズーミングに際して、第１レンズ群Ｇ１と第２レンズ群Ｇ２との間隔が減少し、第２レンズ群Ｇ２と第３レンズ群Ｇ３との間隔が増大するように、各レンズ群が光軸に沿ってそれぞれ移動する。
【００５４】
また、無限遠合焦状態から近接合焦状態へのフォーカシング時には、第３レンズ群Ｇ３が光軸に沿って物体側へと移動する。
【００５５】
図１６に示すように、実施の形態６に係るズームレンズ系において、第１レンズ群Ｇ１は、物体側から像側へと順に、物体側に凸面を向けた負メニスカス形状の第１レンズ素子Ｌ１と、物体側に凸面を向けた正メニスカス形状の第２レンズ素子Ｌ２とからなる。第１レンズ素子Ｌ１は、その両面が非球面である。
【００５６】
実施の形態６に係るズームレンズ系において、第２レンズ群Ｇ２は、物体側から像側へと順に、物体側に凸面を向けた正メニスカス形状の第３レンズ素子Ｌ３と、物体側に凸面を向けた正メニスカス形状の第４レンズ素子Ｌ４と、物体側に凸面を向けた負メニスカス形状の第５レンズ素子Ｌ５と、両凸形状の第６レンズ素子Ｌ６とからなる。これらのうち、第４レンズ素子Ｌ４と第５レンズ素子Ｌ５とは接合されており、後述する対応数値実施例における面データでは、これら第４レンズ素子Ｌ４と第５レンズ素子Ｌ５との間の接着剤層に面番号８が付与されている。また、第３レンズ素子Ｌ３は、その物体側面が非球面である。
【００５７】
実施の形態６に係るズームレンズ系において、第３レンズ群Ｇ３は、両凸形状の第７レンズ素子Ｌ７のみからなる。該第７レンズ素子Ｌ７は、その両面が非球面である。
【００５８】
なお、実施の形態６に係るズームレンズ系において、像面Ｓの物体側（像面Ｓと第７レンズ素子Ｌ７との間）には、平行平板Ｐが設けられている。
【００５９】
実施の形態６に係るズームレンズ系において、撮像時の広角端から望遠端へのズーミングの際に、第１レンズ群Ｇ１は像側に凸の軌跡を描いて物体側へ移動し、第２レンズ群Ｇ２は、単調に物体側へ移動し、第３レンズ群Ｇ３は、単調に像側へ移動する。すなわち、ズーミングに際して、第１レンズ群Ｇ１と第２レンズ群Ｇ２との間隔が減少し、第２レンズ群Ｇ２と第３レンズ群Ｇ３との間隔が増大するように、各レンズ群が光軸に沿ってそれぞれ移動する。
【００６０】
また、無限遠合焦状態から近接合焦状態へのフォーカシング時には、第３レンズ群Ｇ３が光軸に沿って物体側へと移動する。
【００６１】
図１９に示すように、実施の形態７に係るズームレンズ系において、第１レンズ群Ｇ１は、物体側から像側へと順に、物体側に凸面を向けた負メニスカス形状の第１レンズ素子Ｌ１と、物体側に凸面を向けた正メニスカス形状の第２レンズ素子Ｌ２とからなる。第１レンズ素子Ｌ１は、その両面が非球面である。
【００６２】
実施の形態７に係るズームレンズ系において、第２レンズ群Ｇ２は、物体側から像側へと順に、物体側に凸面を向けた正メニスカス形状の第３レンズ素子Ｌ３と、物体側に凸面を向けた正メニスカス形状の第４レンズ素子Ｌ４と、物体側に凸面を向けた負メニスカス形状の第５レンズ素子Ｌ５と、両凸形状の第６レンズ素子Ｌ６とからなる。これらのうち、第４レンズ素子Ｌ４と第５レンズ素子Ｌ５とは接合されており、後述する対応数値実施例における面データでは、これら第４レンズ素子Ｌ４と第５レンズ素子Ｌ５との間の接着剤層に面番号８が付与されている。また、第３レンズ素子Ｌ３は、その物体側面が非球面である。
【００６３】
実施の形態７に係るズームレンズ系において、第３レンズ群Ｇ３は、両凸形状の第７レンズ素子Ｌ７のみからなる。該第７レンズ素子Ｌ７は、その両面が非球面である。
【００６４】
なお、実施の形態７に係るズームレンズ系において、像面Ｓの物体側（像面Ｓと第７レンズ素子Ｌ７との間）には、平行平板Ｐが設けられている。
【００６５】
実施の形態７に係るズームレンズ系において、撮像時の広角端から望遠端へのズーミングの際に、第１レンズ群Ｇ１は像側に凸の軌跡を描いて物体側へ移動し、第２レンズ群Ｇ２は、単調に物体側へ移動し、第３レンズ群Ｇ３は、単調に像側へ移動する。すなわち、ズーミングに際して、第１レンズ群Ｇ１と第２レンズ群Ｇ２との間隔が減少し、第２レンズ群Ｇ２と第３レンズ群Ｇ３との間隔が増大するように、各レンズ群が光軸に沿ってそれぞれ移動する。
【００６６】
また、無限遠合焦状態から近接合焦状態へのフォーカシング時には、第３レンズ群Ｇ３が光軸に沿って物体側へと移動する。
【００６７】
図２２に示すように、実施の形態８に係るズームレンズ系において、第１レンズ群Ｇ１は、物体側から像側へと順に、物体側に凸面を向けた負メニスカス形状の第１レンズ素子Ｌ１と、物体側に凸面を向けた正メニスカス形状の第２レンズ素子Ｌ２とからなる。第１レンズ素子Ｌ１は、その両面が非球面である。
【００６８】
実施の形態８に係るズームレンズ系において、第２レンズ群Ｇ２は、物体側から像側へと順に、物体側に凸面を向けた正メニスカス形状の第３レンズ素子Ｌ３と、物体側に凸面を向けた負メニスカス形状の第４レンズ素子Ｌ４と、物体側に凸面を向けた負メニスカス形状の第５レンズ素子Ｌ５と、両凸形状の第６レンズ素子Ｌ６とからなる。これらのうち、第３レンズ素子Ｌ３と第４レンズ素子Ｌ４とが接合されており、第５レンズ素子Ｌ５と第６レンズ素子Ｌ６とが接合されている。また、第３レンズ素子Ｌ３は、その物体側面が非球面である。
【００６９】
実施の形態８に係るズームレンズ系において、第３レンズ群Ｇ３は、両凸形状の第７レンズ素子Ｌ７のみからなる。
【００７０】
なお、実施の形態８に係るズームレンズ系において、像面Ｓの物体側（像面Ｓと第７レンズ素子Ｌ７との間）には、平行平板Ｐが設けられている。
【００７１】
実施の形態８に係るズームレンズ系において、撮像時の広角端から望遠端へのズーミングの際に、第１レンズ群Ｇ１は像側に凸の軌跡を描いて物体側へ移動し、第２レンズ群Ｇ２は、単調に物体側へ移動し、第３レンズ群Ｇ３は、物体側に凸の軌跡を描いて像側へ移動する。すなわち、ズーミングに際して、第１レンズ群Ｇ１と第２レンズ群Ｇ２との間隔が減少し、第２レンズ群Ｇ２と第３レンズ群Ｇ３との間隔が増大するように、各レンズ群が光軸に沿ってそれぞれ移動する。
【００７２】
また、無限遠合焦状態から近接合焦状態へのフォーカシング時には、第３レンズ群Ｇ３が光軸に沿って物体側へと移動する。
【００７３】
図２５に示すように、実施の形態９に係るズームレンズ系において、第１レンズ群Ｇ１は、物体側から像側へと順に、物体側に凸面を向けた負メニスカス形状の第１レンズ素子Ｌ１と、物体側に凸面を向けた正メニスカス形状の第２レンズ素子Ｌ２とからなる。第１レンズ素子Ｌ１は、その両面が非球面である。
【００７４】
実施の形態９に係るズームレンズ系において、第２レンズ群Ｇ２は、物体側から像側へと順に、物体側に凸面を向けた正メニスカス形状の第３レンズ素子Ｌ３と、物体側に凸面を向けた正メニスカス形状の第４レンズ素子Ｌ４と、物体側に凸面を向けた負メニスカス形状の第５レンズ素子Ｌ５と、両凸形状の第６レンズ素子Ｌ６とからなる。これらのうち、第４レンズ素子Ｌ４と第５レンズ素子Ｌ５とは接合されており、後述する対応数値実施例における面データでは、これら第４レンズ素子Ｌ４と第５レンズ素子Ｌ５との間の接着剤層に面番号８が付与されている。また、第３レンズ素子Ｌ３は、その物体側面が非球面である。
【００７５】
実施の形態９に係るズームレンズ系において、第３レンズ群Ｇ３は、両凸形状の第７レンズ素子Ｌ７のみからなる。該第７レンズ素子Ｌ７は、その両面が非球面である。
【００７６】
実施の形態９に係るズームレンズ系において、第４レンズ群Ｇ４は、物体側に凸面を向けた正メニスカス形状の第８レンズ素子Ｌ８のみからなる。
【００７７】
なお、実施の形態９に係るズームレンズ系において、像面Ｓの物体側（像面Ｓと第８レンズ素子Ｌ８との間）には、平行平板Ｐが設けられている。
【００７８】
実施の形態９に係るズームレンズ系において、撮像時の広角端から望遠端へのズーミングの際に、第１レンズ群Ｇ１は像側に凸の軌跡を描いて物体側へ移動し、第２レンズ群Ｇ２は、単調に物体側へ移動し、第３レンズ群Ｇ３は、単調に像側へ移動し、第４レンズ群Ｇ４は、像面Ｓに対して固定されている。すなわち、ズーミングに際して、第１レンズ群Ｇ１と第２レンズ群Ｇ２との間隔が減少し、第２レンズ群Ｇ２と第３レンズ群Ｇ３との間隔が増大するように、第１レンズ群Ｇ１、第２レンズ群Ｇ２及び第３レンズ群Ｇ３が光軸に沿ってそれぞれ移動する。
【００７９】
また、無限遠合焦状態から近接合焦状態へのフォーカシング時には、第３レンズ群Ｇ３が光軸に沿って物体側へと移動する。
【００８０】
図２８に示すように、実施の形態１０に係るズームレンズ系において、第１レンズ群Ｇ１は、物体側から像側へと順に、物体側に凸面を向けた負メニスカス形状の第１レンズ素子Ｌ１と、物体側に凸面を向けた正メニスカス形状の第２レンズ素子Ｌ２とからなる。第１レンズ素子Ｌ１は、その両面が非球面である。
【００８１】
実施の形態１０に係るズームレンズ系において、第２レンズ群Ｇ２は、物体側から像側へと順に、物体側に凸面を向けた正メニスカス形状の第３レンズ素子Ｌ３と、物体側に凸面を向けた正メニスカス形状の第４レンズ素子Ｌ４と、物体側に凸面を向けた負メニスカス形状の第５レンズ素子Ｌ５と、両凸形状の第６レンズ素子Ｌ６とからなる。これらのうち、第４レンズ素子Ｌ４と第５レンズ素子Ｌ５とは接合されており、後述する対応数値実施例における面データでは、これら第４レンズ素子Ｌ４と第５レンズ素子Ｌ５との間の接着剤層に面番号８が付与されている。また、第３レンズ素子Ｌ３は、その物体側面が非球面である。
【００８２】
また実施の形態１０に係るズームレンズ系において、第３レンズ群Ｇ３は、両凸形状の第７レンズ素子Ｌ７のみからなる。
【００８３】
なお、実施の形態１０に係るズームレンズ系において、像面Ｓの物体側（像面Ｓと第７レンズ素子Ｌ７との間）には、平行平板Ｐが設けられている。
【００８４】
実施の形態１０に係るズームレンズ系において、撮像時の広角端から望遠端へのズーミングの際に、第１レンズ群Ｇ１は像側に凸の軌跡を描いて物体側へ移動し、第２レンズ群Ｇ２は、単調に物体側へ移動し、第３レンズ群Ｇ３は、物体側に凸の軌跡を描いて像側へ移動する。すなわち、ズーミングに際して、第１レンズ群Ｇ１と第２レンズ群Ｇ２との間隔が減少し、第２レンズ群Ｇ２と第３レンズ群Ｇ３との間隔が増大するように、各レンズ群が光軸に沿ってそれぞれ移動する。
【００８５】
また、無限遠合焦状態から近接合焦状態へのフォーカシング時には、第３レンズ群Ｇ３が光軸に沿って物体側へと移動する。
【００８６】
実施の形態１〜１０に係るズームレンズ系では、第１レンズ群Ｇ１が、物体側から像側へと順に、負のパワーを有するレンズ素子と、正のパワーを有し、物体側に凸面を向けたメニスカス形状のレンズ素子とで構成されているので、諸収差、特に広角端での歪曲収差を良好に補正しながらも、短い光学全長を実現することができる。
【００８７】
実施の形態１〜１０に係るズームレンズ系では、第１レンズ群Ｇ１が、非球面を有するレンズ素子を少なくとも１枚含むか、又は少なくとも２面の非球面を含んでいるので、収差をさらに良好に補正することができる。
【００８８】
実施の形態１〜１０に係るズームレンズ系では、第３レンズ群Ｇ３が１枚のレンズ素子で構成されているので、レンズ素子の総枚数が削減され、光学全長が短いレンズ系となっている。また、該第３レンズ群Ｇ３を構成する１枚のレンズ素子が、非球面を含む実施の形態では、収差をさらに良好に補正することができる。
【００８９】
実施の形態１〜１０に係るズームレンズ系では、第２レンズ群Ｇ２が、その中に１〜２組の接合レンズ素子を含む４枚のレンズ素子で構成されているので、該第２レンズ群Ｇ２の厚みが小さく、光学全長が短いレンズ系となっている。
【００９０】
また実施の形態１〜１０に係るズームレンズ系では、該ズームレンズ系を構成するレンズ群のうちのいずれかのレンズ群、あるいは、各レンズ群の一部のサブレンズ群を光軸に直交する方向に移動させることによって、全系の振動による像点移動を補正する、すなわち、手ぶれ、振動等による像のぶれを光学的に補正することができる。
【００９１】
全系の振動による像点移動を補正する際に、例えば第２レンズ群Ｇ２が光軸に直交する方向に移動することにより、ズームレンズ系全体の大型化を抑制してコンパクトに構成しながら、偏心コマ収差や偏心非点収差が小さい優れた結像特性を維持して像ぶれの補正を行うことができる。
【００９２】
なお、前記各レンズ群の一部のサブレンズ群とは、１つのレンズ群が複数のレンズ素子で構成される場合、該複数のレンズ素子のうち、いずれか１枚のレンズ素子又は隣り合った複数のレンズ素子をいう。
【００９３】
以下、例えば実施の形態１〜１０に係るズームレンズ系のごときズームレンズ系が満足することが好ましい条件を説明する。なお、各実施の形態に係るズームレンズ系に対して、複数の好ましい条件が規定されるが、これら複数の条件すべてを満足するズームレンズ系の構成が最も望ましい。しかしながら、個別の条件を満足することにより、それぞれ対応する効果を奏するズームレンズ系を得ることも可能である。
【００９４】
なお、以下に説明するすべての条件は、特に断りのない限り、以下の条件（ａ）において満足することが望ましい。
Ｚ＝ｆT／ｆW＞４．０  ・・・（ａ）
ここで、
ｆT：望遠端における全系の焦点距離、
ｆW：広角端における全系の焦点距離
である。
【００９５】
また、以下に説明するすべての条件は、特に断りのない限り、以下の条件（ｂ）において満足することが望ましい。
ωW＞３７  ・・・（ｂ）
ここで、
ωW：広角端における最大画角の半値（°）
である。
【００９６】
実施の形態１〜１０に係るズームレンズ系のごときズームレンズ系は、以下の条件（１）を満足することが望ましい。
ｆW／Ｄ1＞７．５  ・・・（１）
ここで、
ｆW：広角端における全系の焦点距離、
Ｄ1：第１レンズ群の最物体側に位置するレンズ素子の中心厚み
である。
【００９７】
前記条件（１）は、第１レンズ群の最物体側に位置するレンズ素子の光軸方向の厚みを規定するための条件である。条件（１）の下限を下回ると、第１レンズ群の最物体側に位置するレンズ素子の光軸方向の厚みが大きくなり、ズームレンズ系の全長が長くなることから、コンパクトなレンズ鏡筒や撮像装置、カメラを提供することが困難となる。
【００９８】
なお、さらに以下の条件（１）’を満足することにより、前記効果をさらに奏功させることができる。
ｆW／Ｄ1＞１４．０  ・・・（１）’
【００９９】
また、前記条件（１）及び（１）’は、前記条件（ａ）と同時に満足することが特に好ましい。
【０１００】
実施の形態１〜１０に係るズームレンズ系のごときズームレンズ系は、以下の条件（２）を満足することが望ましい。
ｆＴ／Ｄ１≧４４．３  ・・・（２）
ここで、
ｆＴ：望遠端における全系の焦点距離、
Ｄ１：第１レンズ群の最物体側に位置するレンズ素子の中心厚み
である。
【０１０１】
前記条件（２）は、第１レンズ群の最物体側に位置するレンズ素子の光軸方向の厚みを規定するための条件である。条件（２）の下限を下回ると、第１レンズ群の最物体側に位置するレンズ素子の光軸方向の厚みが大きくなり、ズームレンズ系の全長が長くなることから、コンパクトなレンズ鏡筒や撮像装置、カメラを提供することが困難となる。
【０１０２】
なお、さらに以下の条件（２）’を満足することにより、前記効果をさらに奏功させることができる。
ｆT／Ｄ1＞６０．０  ・・・（２）’
【０１０３】
実施の形態１〜１０に係るズームレンズ系のごときズームレンズ系は、以下の条件（３）を満足することが望ましい。
０．５０＜ＤG1／Ｉｒ＜１．０６  ・・・（３）
ここで、
ＤG1：第１レンズ群の中心厚み、
Ｉｒ：次式で表される値
Ｉｒ＝ｆT×ｔａｎ（ωT）、
ｆT：望遠端における全系の焦点距離、
ωT：望遠端における最大画角の半値（°）
である。
【０１０４】
前記条件（３）は、第１レンズ群の光軸方向の厚みを規定するための条件である。条件（３）の上限を上回ると、第１レンズ群の光軸方向の厚みが大きくなり、ズームレンズ系の全長が長くなることから、コンパクトなレンズ鏡筒や撮像装置、カメラを提供することが困難となる。また、条件（３）の下限を下回ると、像面湾曲が大きくなり、周辺性能の確保が困難となる。
【０１０５】
なお、さらに以下の条件（３）’及び（３）’’の少なくとも１つを満足することにより、前記効果をさらに奏功させることができる。
０．６５＜ＤG1／Ｉｒ  ・・・（３）’
ＤG1／Ｉｒ＜１．００  ・・・（３）’’
【０１０６】
実施の形態１〜１０に係るズームレンズ系のごときズームレンズ系のように、第２レンズ群よりも像側に、正のパワーを有する第３レンズ群を備え、撮像時の広角端から望遠端へのズーミングの際に、該第２レンズ群と第３レンズ群との間隔が増大するように各レンズ群を光軸に沿ってそれぞれ移動させて変倍を行うズームレンズ系は、以下の条件（４）を満足することが望ましい。
０．６０＜（ＤG1＋ＤG3）／Ｉｒ＜１．４０  ・・・（４）
ここで、
ＤG1：第１レンズ群の中心厚み、
ＤG3：第３レンズ群の中心厚み、
Ｉｒ：次式で表される値
Ｉｒ＝ｆT×ｔａｎ（ωT）、
ｆT：望遠端における全系の焦点距離、
ωT：望遠端における最大画角の半値（°）
である。
【０１０７】
前記条件（４）は、第１レンズ群の光軸方向の厚みと第３レンズ群の光軸方向の厚みとの和を規定するための条件である。条件（４）の上限を上回ると、第１レンズ群の光軸方向の厚みと第３レンズ群の光軸方向の厚みとの和が大きくなり、ズームレンズ系の全長が長くなることから、コンパクトなレンズ鏡筒や撮像装置、カメラを提供することが困難となる。また、条件（４）の下限を下回ると、像面湾曲が大きくなり、周辺性能の確保が困難となる。
【０１０８】
なお、さらに以下の条件（４）’及び（４）’’の少なくとも１つを満足することにより、前記効果をさらに奏功させることができる。
０．７５＜（ＤG1＋ＤG3）／Ｉｒ  ・・・（４）’
（ＤG1＋ＤG3）／Ｉｒ＜１．２０  ・・・（４）’’
【０１０９】
実施の形態１〜１０に係るズームレンズ系のごときズームレンズ系は、以下の条件（５）を満足することが望ましい。
０．０１＜Ｄ1／Ｄ12＜０．４０  ・・・（５）
ここで、
Ｄ1：第１レンズ群の最物体側に位置するレンズ素子の中心厚み、
Ｄ12：第１レンズ群の最物体側に位置するレンズ素子と該最物体側に位置するレンズ素子と隣り合うレンズ素子との空気間隔
である。
【０１１０】
前記条件（５）は、第１レンズ群の最物体側に位置するレンズ素子の光軸方向の厚みを規定するための条件である。条件（５）の上限を上回ると、第１レンズ群の最物体側に位置するレンズ素子の光軸方向の厚みが大きくなり、ズームレンズ系の全長が長くなることから、コンパクトなレンズ鏡筒や撮像装置、カメラを提供することが困難となる。また、条件（５）の下限を下回ると、第１レンズ群の最物体側に位置するレンズ素子と該最物体側に位置するレンズ素子と隣り合うレンズ素子との空気間隔が大きくなり、ズームレンズ系の全長が長くなることから、コンパクトなレンズ鏡筒や撮像装置、カメラを提供することが困難となる。
【０１１１】
なお、さらに以下の条件（５）’を満足することにより、前記効果をさらに奏功させることができる。
Ｄ1／Ｄ12＜０．２０  ・・・（５）’
【０１１２】
前記条件（５）及び（５）’は、前記条件（ａ）及び／又は（ｂ）と同時に満足しなくとも、前記効果を充分に奏功させることができる。
【０１１３】
実施の形態１〜１０に係るズームレンズ系のごときズームレンズ系は、以下の条件（６）を満足することが望ましい。
１．２＜（（２×Ｄ2×Ｒ2F×Ｒ2R）／（Ｒ2R−Ｒ2F））0.5／Ｉｒ＜２．０
・・・（６）
ここで、
Ｄ2：第１レンズ群の最物体側に位置するレンズ素子と隣り合うレンズ素子の中心厚み、
Ｒ2F：第１レンズ群の最物体側に位置するレンズ素子と隣り合うレンズ素子の物体側面の曲率半径、
Ｒ2R：第１レンズ群の最物体側に位置するレンズ素子と隣り合うレンズ素子の像側面の曲率半径、
Ｉｒ：次式で表される値
Ｉｒ＝ｆT×ｔａｎ（ωT）、
ｆT：望遠端における全系の焦点距離、
ωT：望遠端における最大画角の半値（°）
である。
【０１１４】
前記条件（６）は、第１レンズ群の最物体側に位置するレンズ素子と隣り合うレンズ素子の光軸方向の厚みを規定するための条件である。条件（６）の上限を上回ると、第１レンズ群の最物体側に位置するレンズ素子と隣り合うレンズ素子の光軸方向の厚みが大きくなり、ズームレンズ系の全長が長くなることから、コンパクトなレンズ鏡筒や撮像装置、カメラを提供することが困難となる。また、条件（６）の下限を下回ると、第１レンズ群の最物体側に位置するレンズ素子と隣り合うレンズ素子の外形部での光軸方向の厚みが小さくなり、必要なレンズ径の確保が困難となる。
【０１１５】
なお、さらに以下の条件（６）’及び（６）’’の少なくとも１つを満足することにより、前記効果をさらに奏功させることができる。
１．４＜（（２×Ｄ2×Ｒ2F×Ｒ2R）／（Ｒ2R−Ｒ2F））0.5／Ｉｒ
・・・（６）’
（（２×Ｄ2×Ｒ2F×Ｒ2R）／（Ｒ2R−Ｒ2F））0.5／Ｉｒ＜１．９
・・・（６）’’
【０１１６】
また、前記条件（６）、（６）’及び（６）’’は、前記条件（ａ）と同時に満足することが特に好ましい。
【０１１７】
実施の形態１〜１０に係るズームレンズ系のごときズームレンズ系のように、第２レンズ群が、少なくとも１組の接合レンズ素子を含み、該接合レンズ素子の接合面が物体側に凸形状であるズームレンズ系は、以下の条件（７）を満足することが望ましい。
１．０３＜Ｎｄ2／Ｎｄ1＜２．００  ・・・（７）
ここで、
Ｎｄ1：接合レンズ素子の、最物体側に位置するレンズ素子のｄ線に対する屈折率、
Ｎｄ2：接合レンズ素子の、最物体側に位置するレンズ素子と接合しているレンズ素子のｄ線に対する屈折率
である。
【０１１８】
前記条件（７）は、第２レンズ群に含まれる接合レンズ素子の、最物体側に位置するレンズ素子の屈折率とこれに接合しているレンズ素子の屈折率との関係を規定するための条件である。条件（７）の範囲を外れると、諸収差、特に球面収差の補正が困難になる恐れがある。
【０１１９】
なお、さらに以下の条件（７）’及び（７）’’の少なくとも１つを満足することにより、前記効果をさらに奏功させることができる。
１．１５＜Ｎｄ2／Ｎｄ1  ・・・（７）’
Ｎｄ2／Ｎｄ1＜１．５０  ・・・（７）’’
【０１２０】
また、前記条件（７）、（７）’及び（７）’’は、前記条件（ａ）及び（ｂ）と同時に満足することが特に好ましい。
【０１２１】
実施の形態１〜１０に係るズームレンズ系のごときズームレンズ系のように、第３レンズ群が１枚のレンズ素子で構成されるズームレンズ系は、以下の条件（８）を満足することが望ましい。
０．５＜（（２×Ｄ7×Ｒ7F×Ｒ7R）／（Ｒ7R−Ｒ7F））0.5／Ｉｒ＜１．５
・・・（８）
ここで、
Ｄ7：第３レンズ群のレンズ素子の中心厚み、
Ｒ7F：第３レンズ群のレンズ素子の物体側面の曲率半径、
Ｒ7R：第３レンズ群のレンズ素子の像側面の曲率半径、
Ｉｒ：次式で表される値
Ｉｒ＝ｆT×ｔａｎ（ωT）、
ｆT：望遠端における全系の焦点距離、
ωT：望遠端における最大画角の半値（°）
である。
【０１２２】
前記条件（８）は、第３レンズ群を構成するレンズ素子の光軸方向の厚みを規定するための条件である。条件（８）の上限を上回ると、第３レンズ群を構成するレンズ素子の光軸方向の厚みが大きくなり、ズームレンズ系の全長が長くなることから、コンパクトなレンズ鏡筒や撮像装置、カメラを提供することが困難となる。また、条件（８）の下限を下回ると、第３レンズ群を構成するレンズ素子の外形部での光軸方向の厚みが小さくなり、必要なレンズ径の確保が困難となる。
【０１２３】
なお、前記条件（８）は、前記条件（ａ）と同時に満足することが特に好ましい。
【０１２４】
実施の形態１〜１０に係るズームレンズ系のごときズームレンズ系のように、第２レンズ群が光軸に対して垂直方向に移動するズームレンズ系は、以下の条件（９）及び（１０）を全系において満足することが望ましい。
ＹT＞Ｙ  ・・・（９）
１．５＜（Ｙ／ＹT）／（ｆ／ｆT）＜３．０  ・・・（１０）
ここで、
ｆ：全系の焦点距離、
ｆT：望遠端における全系の焦点距離、
Ｙ：全系の焦点距離ｆにおける、第２レンズ群の、最大ぶれ補正時の光軸に対して垂直方向への移動量、
ＹT：望遠端での全系の焦点距離ｆTにおける、第２レンズ群の、最大ぶれ補正時の光軸に対して垂直方向への移動量
である。
【０１２５】
前記条件（９）及び（１０）は、光軸に対して垂直方向に移動する第２レンズ群の最大ぶれ補正時の移動量に関する条件である。ズームレンズ系の場合、補正角が全ズーム域で一定のときには、ズーム比が大きいほど、光軸に対して垂直方向に移動するレンズ群やレンズ素子の移動量が大きく、逆にズーム比が小さいほど、光軸に対して垂直方向に移動するレンズ群やレンズ素子の移動量が小さくなる。条件（９）を満足しない場合又は条件（１０）の上限を上回ると、ぶれ補正が過剰となり、光学性能の劣化が大きくなる恐れがある。一方、条件（１０）の下限を下回ると、充分にぶれを補正することができなくなる恐れがある。
【０１２６】
なお、さらに以下の条件（１０）’及び（１０）’’の少なくとも１つを満足することにより、前記効果をさらに奏功させることができる。
２．０＜（Ｙ／ＹT）／（ｆ／ｆT）  ・・・（１０）’
（Ｙ／ＹT）／（ｆ／ｆT）＜２．６  ・・・（１０）’’
【０１２７】
各実施の形態に係るズームレンズ系の各レンズ群は、入射光線を屈折により偏向させる屈折型レンズ素子（すなわち、異なる屈折率を有する媒質同士の界面で偏向が行われるタイプのレンズ素子）のみで構成されているが、これに限定されるものではない。例えば、回折により入射光線を偏向させる回折型レンズ素子、回折作用と屈折作用との組み合わせで入射光線を偏向させる屈折・回折ハイブリッド型レンズ素子、入射光線を媒質内の屈折率分布により偏向させる屈折率分布型レンズ素子等で、各レンズ群を構成してもよい。
【０１２８】
さらに各実施の形態では、像面Ｓの物体側（像面Ｓと第３レンズ群Ｇ３の最像側レンズ面との間又は像面Ｓと第４レンズ群Ｇ４の最像側レンズ面との間）には、光学的ローパスフィルタや撮像素子のフェースプレート等と等価な平行平板を配置する構成を示したが、このローパスフィルタとしては、所定の結晶軸方向が調整された水晶等を材料とする複屈折型ローパスフィルタや、必要とされる光学的な遮断周波数の特性を回折効果により達成する位相型ローパスフィルタ等が適用可能である。
【０１２９】
（実施の形態１１）
図３１は、実施の形態１１に係るデジタルスチルカメラの概略構成図である。図３１において、デジタルスチルカメラは、ズームレンズ系１とＣＣＤである撮像素子２とを含む撮像装置と、液晶モニタ３と、筐体４とから構成される。ズームレンズ系１として、実施の形態１に係るズームレンズ系が用いられている。図３１において、ズームレンズ系１は、第１レンズ群Ｇ１と、第２レンズ群Ｇ２と、開口絞りＡと、第３レンズ群Ｇ３とから構成されている。筐体４は、前側にズームレンズ系１が配置され、ズームレンズ系１の後側には、撮像素子２が配置されている。筐体４の後側に液晶モニタ３が配置され、ズームレンズ系１による被写体の光学的な像が像面Ｓに形成される。
【０１３０】
鏡筒は、主鏡筒５と、移動鏡筒６と、円筒カム７とで構成されている。円筒カム７を回転させると、第１レンズ群Ｇ１、第２レンズ群Ｇ２と開口絞りＡ及び第３レンズ群Ｇ３が撮像素子２を基準にした所定の位置に移動し、広角端から望遠端までの変倍を行うことができる。第３レンズ群Ｇ３はフォーカス調整用モータにより光軸方向に移動可能である。
【０１３１】
こうして、デジタルスチルカメラに実施の形態１に係るズームレンズ系を用いることにより、解像度及び像面湾曲を補正する能力が高く、非使用時の光学全長が短い小型のデジタルスチルカメラを提供することができる。なお、図３１に示したデジタルスチルカメラには、実施の形態１に係るズームレンズ系の替わりに実施の形態２〜１０に係るズームレンズ系のいずれかを用いてもよい。また、図３１に示したデジタルスチルカメラの光学系は、動画像を対象とするデジタルビデオカメラに用いることもできる。この場合、静止画像だけでなく、解像度の高い動画像を撮影することができる。
【０１３２】
なお、本実施の形態１１に係るデジタルスチルカメラでは、ズームレンズ系１として実施の形態１〜１０に係るズームレンズ系を示したが、これらのズームレンズ系は、全てのズーミング域を使用する必要はない。すなわち、所望のズーミング域に応じて、光学性能が確保されている範囲を切り出し、実施の形態１〜１０で説明したズームレンズ系よりも低倍率のズームレンズ系として使用してもよい。
【０１３３】
さらに、実施の形態１１では、いわゆる沈胴構成の鏡筒にズームレンズ系を適用した例を示したが、これに限られない。例えば、第１レンズ群Ｇ１内等の任意の位置に、内部反射面を持つプリズムや、表面反射ミラーを配置し、いわゆる屈曲構成の鏡筒にズームレンズ系を適用してもよい。さらに、実施の形態１１において、第２レンズ群Ｇ２全体、第３レンズ群Ｇ３全体、第２レンズ群Ｇ２の一部等のズームレンズ系を構成している一部のレンズ群を、沈胴時に光軸上から退避させる、いわゆるスライディング鏡筒にズームレンズ系を適用してもよい。
【０１３４】
以上説明した実施の形態１〜１０に係るズームレンズ系と、ＣＣＤやＣＭＯＳ等の撮像素子とから構成される撮像装置を、携帯電話機器、ＰＤＡ（Ｐｅｒｓｏｎａｌ  Ｄｉｇｉｔａｌ  Ａｓｓｉｓｔａｎｃｅ）、監視システムにおける監視カメラ、Ｗｅｂカメラ、車載カメラ等に適用することもできる。
【０１３５】
以下、実施の形態１〜１０に係るズームレンズ系を具体的に実施した数値実施例を説明する。なお、各数値実施例において、表中の長さの単位はすべて「ｍｍ」であり、画角の単位はすべて「°」である。また、各数値実施例において、ｒは曲率半径、ｄは面間隔、ｎｄはｄ線に対する屈折率、ｖｄはｄ線に対するアッベ数である。また、各数値実施例において、＊印を付した面は非球面であり、非球面形状は次式で定義している。
【数１】
0005498495.tif 000002
ここで、κは円錐定数、Ａ４、Ａ６、Ａ８、Ａ１０、Ａ１２、Ａ１４及びＡ１６は、それぞれ４次、６次、８次、１０次、１２次、１４次及び１６次の非球面係数である。
【０１３６】
図２、５、８、１１、１４、１７、２０、２３、２６及び２９は、各々実施の形態１〜１０に係るズームレンズ系の縦収差図である。
【０１３７】
各縦収差図において、（ａ）図は広角端、（ｂ）図は中間位置、（ｃ）図は望遠端における各収差を表す。各縦収差図は、左側から順に、球面収差（ＳＡ（ｍｍ））、非点収差（ＡＳＴ（ｍｍ））、歪曲収差（ＤＩＳ（％））を示す。球面収差図において、縦軸はＦナンバー（図中、Ｆで示す）を表し、実線はｄ線（ｄ−ｌｉｎｅ）、短破線はＦ線（Ｆ−ｌｉｎｅ）、長破線はＣ線（Ｃ−ｌｉｎｅ）の特性である。非点収差図において、縦軸は像高（図中、Ｈで示す）を表し、実線はサジタル平面（図中、ｓで示す）、破線はメリディオナル平面（図中、ｍで示す）の特性である。歪曲収差図において、縦軸は像高（図中、Ｈで示す）を表す。
【０１３８】
図３、６、９、１２、１５、１８、２１、２４、２７及び３０は、各々実施の形態１〜１０に係るズームレンズ系の望遠端における横収差図である。
【０１３９】
各横収差図において、上段３つの収差図は、望遠端における像ぶれ補正を行っていない基本状態、下段３つの収差図は、第２レンズ群Ｇ２全体を光軸と垂直な方向に所定量移動させた望遠端における像ぶれ補正状態に、それぞれ対応する。基本状態の各横収差図のうち、上段は最大像高の７０％の像点における横収差、中段は軸上像点における横収差、下段は最大像高の−７０％の像点における横収差に、それぞれ対応する。像ぶれ補正状態の各横収差図のうち、上段は最大像高の７０％の像点における横収差、中段は軸上像点における横収差、下段は最大像高の−７０％の像点における横収差に、それぞれ対応する。また各横収差図において、横軸は瞳面上での主光線からの距離を表し、実線はｄ線（ｄ−ｌｉｎｅ）、短破線はＦ線（Ｆ−ｌｉｎｅ）、長破線はＣ線（Ｃ−ｌｉｎｅ）の特性である。なお各横収差図において、メリディオナル平面を、第１レンズ群Ｇ１の光軸と第２レンズ群Ｇ２の光軸とを含む平面としている。
【０１４０】
なお、各実施例のズームレンズ系について、望遠端における、像ぶれ補正状態での第２レンズ群Ｇ２の光軸と垂直な方向への移動量（ＹT）は、以下の表に示すとおりである。
数値実施例 移動量ＹT（ｍｍ）
１              ０．０８１
２              ０．０７９
３              ０．０８２
４              ０．０８１
５              ０．０６９
６              ０．０８１
７              ０．０８２
８              ０．０７０
９              ０．０８１
１０              ０．０８２
【０１４１】
撮影距離が∞で望遠端において、ズームレンズ系が約０．６°だけ傾いた場合の像偏心量は、第２レンズ群Ｇ２全体が光軸と垂直な方向に上記の各値だけ平行移動するときの像偏心量に等しい。
【０１４２】
各横収差図から明らかなように、軸上像点における横収差の対称性は良好であることがわかる。また、＋７０％像点における横収差と−７０％像点における横収差とを基本状態で比較すると、いずれも湾曲度が小さく、収差曲線の傾斜がほぼ等しいことから、偏心コマ収差、偏心非点収差が小さいことがわかる。このことは、像ぶれ補正状態であっても充分な結像性能が得られていることを意味している。また、ズームレンズ系の像ぶれ補正角が同じ場合には、ズームレンズ系全体の焦点距離が短くなるにつれて、像ぶれ補正に必要な平行移動量が減少する。したがって、いずれのズーム位置であっても、約０．６°までの像ぶれ補正角に対して、結像特性を低下させることなく充分な像ぶれ補正を行うことが可能である。
【０１４３】
（数値実施例１）
数値実施例１のズームレンズ系は、図１に示した実施の形態１に対応する。数値実施例１のズームレンズ系の面データを表１に、非球面データを表２に、各種データを表３に示す。
【０１４４】
表  １（面データ）
面番号         r           d           nd         vd
物面             ∞
1*       376.90300     0.10000     1.77200    50.0 
2*         5.00600     2.02000 
3          8.81800     1.17100     1.99537    20.7 
4         14.80000        可変
5*         4.76400     1.22300     1.80434    40.8 
6         20.42500     0.15000 
7          6.32100     0.97600     1.72000    50.3 
8         83.09200     0.01000     1.56732    42.8 
9         83.09200     0.30000     1.84666    23.8 
10          3.46000     0.79800 
11         25.79800     0.55800     1.83400    37.3 
12        -25.42400     0.44800 
13(絞り)           ∞        可変
14*        30.81700     1.38300     1.51835    70.3 
15*       -14.49800        可変
16               ∞     0.78000     1.51680    64.2
17               ∞        (BF)
像面             ∞
【０１４５】
表  ２（非球面データ）
第1面
K= 0.00000E+00, A4=-2.07504E-04, A6= 1.79274E-05, A8=-3.76493E-07
A10=-1.87220E-09, A12= 1.70356E-10, A14=-1.74409E-12, A16= 0.00000E+00 
第2面
K=-3.88161E+00, A4= 3.04951E-03, A6=-1.57450E-04, A8= 1.09635E-05
A10=-4.51143E-07, A12= 8.77171E-09, A14=-2.02447E-11, A16=-1.21955E-12 
第5面
K= 0.00000E+00, A4=-5.29795E-04, A6=-1.86252E-05, A8=-1.72108E-06
A10= 2.29543E-07, A12= 4.49667E-10, A14=-1.70054E-09, A16= 0.00000E+00 
第14面
K= 0.00000E+00, A4= 6.43797E-04, A6=-1.59684E-04, A8= 1.78702E-05
A10=-1.01388E-06, A12= 2.02058E-08, A14= 0.00000E+00, A16= 0.00000E+00 
第15面
K= 0.00000E+00, A4= 1.00911E-03, A6=-1.81490E-04, A8= 1.93687E-05
A10=-1.05735E-06, A12= 2.05281E-08, A14= 0.00000E+00, A16= 0.00000E+00 
【０１４６】
表  ３（各種データ）
ズーム比      4.74080
広角      中間      望遠
焦点距離       4.5524   10.2934   21.5820
Ｆナンバー     2.89303   4.73146   6.08515
画角        41.9012   20.9296   10.0952
像高         3.6000    3.9000    3.9000
レンズ全長     30.6963   28.5343   37.4510
ＢＦ        0.81535   0.79133   0.74456
d4          13.1497    4.0849    0.3000 
d13          3.3156   10.5660   23.8497 
d15          3.4987    3.1751    2.6397 
入射瞳位置      6.6848    5.3769    4.4876
射出瞳位置     -9.2658  -30.7761   86.0868
前側主点位置    9.1815   12.3139   31.5273
後側主点位置   26.1440   18.2410   15.8690
単レンズデータ
レンズ     始面     焦点距離
1         1       -6.5725
2         3       19.9681
3         5        7.4647
4         7        9.4517
5         9       -4.2716
6        11       15.4299
7        14       19.2213
ズームレンズ群データ
群   始面    焦点距離  レンズ構成長    前側主点位置  後側主点位置
1      1   -10.78884     3.29100        -0.60798      -0.05266
2      5     9.53628     4.46300        -1.16896       0.36648
3     14    19.22127     1.38300         0.62596       1.08851
ズームレンズ群倍率
群   始面    広角       中間       望遠
1      1    0.00000    0.00000    0.00000
2      5   -0.57527   -1.26944   -2.55852
3     14    0.73348    0.75157    0.78186
【０１４７】
（数値実施例２）
数値実施例２のズームレンズ系は、図４に示した実施の形態２に対応する。数値実施例２のズームレンズ系の面データを表４に、非球面データを表５に、各種データを表６に示す。
【０１４８】
表  ４（面データ）
面番号         r           d           nd         vd
物面             ∞
1*        47.67570     0.30000     1.80470    41.0 
2*         4.40240     2.02000 
3          9.11440     1.31380     1.99537    20.7 
4         17.58820        可変
5*         5.36520     1.10000     1.80470    41.0 
6         16.76820     0.15000 
7          5.53700     1.72350     1.48749    70.4 
8         17.48420     0.01000     1.56732    42.8 
9         17.48420     0.30000     1.84666    23.8 
10          3.69180     0.56190 
11         10.36260     0.87940     1.71300    53.9 
12        -33.39860     0.44800 
13(絞り)           ∞        可変
14*        12.25540     1.38300     1.51835    70.3 
15*      -100.15000        可変
16               ∞     0.78000     1.51680    64.2
17               ∞        (BF)
像面             ∞
【０１４９】
表  ５（非球面データ）
第1面
K= 0.00000E+00, A4=-4.31892E-04, A6= 1.71184E-05, A8=-6.11570E-07
A10= 1.14513E-08, A12=-6.58467E-11, A14=-3.45648E-13, A16= 0.00000E+00 
第2面
K=-1.92659E+00, A4= 1.29147E-03, A6=-3.49146E-05, A8= 2.61576E-06
A10=-1.55494E-07, A12= 3.49670E-09, A14= 2.18826E-11, A16=-1.30739E-12 
第5面
K= 0.00000E+00, A4=-3.40457E-04, A6=-1.00479E-05, A8=-9.67088E-07
A10= 5.25306E-07, A12=-9.45088E-08, A14= 5.18417E-09, A16= 0.00000E+00 
第14面
K= 0.00000E+00, A4=-1.25406E-03, A6= 1.88903E-04, A8=-1.84993E-05
A10= 9.05200E-07, A12=-1.95790E-08, A14= 0.00000E+00, A16= 0.00000E+00 
第15面
K= 0.00000E+00, A4=-1.25200E-03, A6= 1.91105E-04, A8=-1.78367E-05
A10= 8.17466E-07, A12=-1.67813E-08, A14= 0.00000E+00, A16= 0.00000E+00 
【０１５０】
表  ６（各種データ）
ズーム比      4.67013
広角      中間      望遠
焦点距離       4.5699    9.8757   21.3419
Ｆナンバー     2.90114   4.54392   6.12766
画角        41.4426   21.8652   10.2088
像高         3.6000    3.9000    3.9000
レンズ全長     32.0163   28.7643   38.1935
ＢＦ        0.50460   0.51133   0.45327
d4          13.5088    4.0658    0.3000 
d13          4.2411    9.6159   23.8116 
d15          2.7922    3.6017    2.6590 
入射瞳位置      6.7067    5.5673    4.8381
射出瞳位置     -9.5829  -22.8988  179.4711
前側主点位置    9.2063   11.2768   28.7243
後側主点位置   27.4464   18.8886   16.8515
単レンズデータ
レンズ     始面     焦点距離
1         1       -6.0461
2         3       17.6414
3         5        9.4000
4         7       15.8718
5         9       -5.5832
6        11       11.1858
7        14       21.1542
ズームレンズ群データ
群   始面    焦点距離  レンズ構成長    前側主点位置  後側主点位置
1      1   -10.40646     3.63380        -0.61009       0.04913
2      5     9.47561     5.17280        -1.16523       0.63304
3     14    21.15418     1.38300         0.09973       0.56803
ズームレンズ群倍率
群   始面    広角       中間       望遠
1      1    0.00000    0.00000    0.00000
2      5   -0.56205   -1.27771   -2.59585
3     14    0.78132    0.74273    0.79004
【０１５１】
（数値実施例３）
数値実施例３のズームレンズ系は、図７に示した実施の形態３に対応する。数値実施例３のズームレンズ系の面データを表７に、非球面データを表８に、各種データを表９に示す。
【０１５２】
表  ７（面データ）
面番号         r           d           nd         vd
物面             ∞
1*        85.83000     0.50000     1.80470    41.0 
2*         4.65000     1.94300 
3          8.92900     1.50400     2.01960    21.5 
4         16.94100        可変
5*         5.70000     1.19600     1.80359    40.8 
6         27.40300     0.15000 
7          5.35800     1.53300     1.49700    81.6 
8         23.32100     0.01000     1.56732    42.8 
9         23.32100     0.30000     1.84666    23.8 
10          3.77400     0.63500 
11         23.14600     0.70000     1.83481    42.7 
12        -23.14600     0.44800 
13(絞り)           ∞        可変
14*        16.73500     1.36200     1.51845    70.0 
15*       -35.04600        可変
16               ∞     0.78000     1.51680    64.2
17               ∞        (BF)
像面             ∞
【０１５３】
表  ８（非球面データ）
第1面
K= 0.00000E+00, A4= 1.67521E-05, A6=-6.32273E-06, A8= 1.49631E-07
A10=-1.17542E-09, A12= 0.00000E+00, A14= 0.00000E+00, A16= 0.00000E+00 
第2面
K=-6.56425E-01, A4= 1.31278E-06, A6=-1.52009E-05, A8= 1.18927E-06
A10=-1.16818E-07, A12= 5.23273E-09, A14=-1.01819E-10, A16= 6.36437E-13 
第5面
K= 0.00000E+00, A4=-2.75821E-04, A6=-3.29535E-05, A8= 8.16234E-06
A10=-1.41592E-06, A12= 1.12370E-07, A14=-3.21408E-09, A16= 0.00000E+00 
第14面
K= 0.00000E+00, A4=-1.38176E-05, A6=-6.21437E-05, A8= 9.32874E-06
A10=-5.46078E-07, A12= 9.60122E-09, A14= 0.00000E+00, A16= 0.00000E+00 
第15面
K= 0.00000E+00, A4= 2.21664E-04, A6=-1.07372E-04, A8= 1.35168E-05
A10=-7.28810E-07, A12= 1.26395E-08, A14= 0.00000E+00, A16= 0.00000E+00 
【０１５４】
表  ９（各種データ）
ズーム比      4.74713
広角      中間      望遠
焦点距離       4.6614   10.1581   22.1283
Ｆナンバー     2.90559   4.46621   6.13215
画角        41.0122   21.3353    9.9552
像高         3.6000    3.9000    3.9000
レンズ全長     33.7031   29.3487   39.0352
ＢＦ        0.72648   0.73604   0.67837
d4          14.7264    4.2856    0.3000 
d13          4.9288    9.6091   24.0017 
d15          2.2604    3.6570    2.9941 
入射瞳位置      7.1024    5.7895    4.9539
射出瞳位置    -10.2290  -22.7593  233.9598
前側主点位置    9.7804   11.5558   29.1812
後側主点位置   29.0417   19.1906   16.9069
単レンズデータ
レンズ     始面     焦点距離
1         1       -6.1264
2         3       16.9141
3         5        8.7415
4         7       13.6108
5         9       -5.3558
6        11       13.9591
7        14       22.0447
ズームレンズ群データ
群   始面    焦点距離  レンズ構成長    前側主点位置  後側主点位置
1      1   -10.77296     3.94700        -0.45083       0.45305
2      5     9.62416     4.97200        -1.27736       0.50691
3     14    22.04473     1.36200         0.29252       0.74942
ズームレンズ群倍率
群   始面    広角       中間       望遠
1      1    0.00000    0.00000    0.00000
2      5   -0.53196   -1.25790   -2.62569
3     14    0.81339    0.74961    0.78229
【０１５５】
（数値実施例４）
数値実施例４のズームレンズ系は、図１０に示した実施の形態４に対応する。数値実施例４のズームレンズ系の面データを表１０に、非球面データを表１１に、各種データを表１２に示す。
【０１５６】
表  １０（面データ）
面番号         r           d           nd         vd
物面             ∞
1*        64.98300     0.30000     1.80470    41.0 
2*         4.86000     2.12200 
3          9.18800     1.45400     2.00272    19.3 
4         15.84200        可変
5*         5.80600     1.19000     1.80436    40.9 
6         28.10800     0.15000 
7          5.41900     1.49100     1.49700    81.6 
8         23.25400     0.01000     1.56732    42.8 
9         23.25400     0.30000     1.84666    23.8 
10          3.87700     0.63500 
11         23.30600     0.71000     1.83481    42.7 
12        -23.30600     0.42300 
13(絞り)           ∞        可変
14*        20.07100     1.44300     1.52996    55.8 
15*       -38.10900        可変
16               ∞     0.78000     1.51680    64.2
17               ∞        (BF)
像面             ∞
【０１５７】
表  １１（非球面データ）
第1面
K= 0.00000E+00, A4=-9.66470E-05, A6=-1.47019E-06, A8= 1.64608E-07
A10=-3.66265E-09, A12= 1.71491E-11, A14= 3.69371E-13, A16=-4.12022E-15 
第2面
K=-7.43416E-01, A4= 3.61467E-05, A6=-1.18123E-05, A8= 1.59746E-06
A10=-1.19135E-07, A12= 5.16044E-09, A14=-1.12667E-10, A16= 9.02143E-13 
第5面
K= 0.00000E+00, A4=-2.74010E-04, A6=-3.07773E-05, A8= 1.13844E-05
A10=-2.72034E-06, A12= 3.09310E-07, A14=-1.35981E-08, A16= 0.00000E+00 
第14面
K= 0.00000E+00, A4=-3.97245E-04, A6=-1.62382E-05, A8= 6.14516E-06
A10=-4.16218E-07, A12= 1.39981E-09, A14= 4.13302E-10, A16=-6.82361E-12 
第15面
K= 0.00000E+00, A4=-2.29091E-04, A6=-4.29717E-05, A8= 9.36646E-06
A10=-5.93566E-07, A12= 5.24991E-09, A14= 4.02615E-10, A16=-7.10074E-12 
【０１５８】
表  １２（各種データ）
ズーム比      4.75073
広角      中間      望遠
焦点距離       4.6355   10.1748   22.0218
Ｆナンバー     2.89659   4.46169   6.12235
画角        41.2910   21.2335    9.9497
像高         3.6140    3.9020    3.9020
レンズ全長     34.0115   29.4047   38.3928
ＢＦ        0.83152   0.83371   0.68876
d4          15.0540    4.4380    0.3000 
d13          4.7360    9.5210   23.4180 
d15          2.3820    3.6040    2.9780 
入射瞳位置      7.0890    5.7474    4.8637
射出瞳位置     -9.8686  -20.9839 -469.7425
前側主点位置    9.7163   11.1771   25.8547
後側主点位置   29.3761   19.2299   16.3709
単レンズデータ
レンズ     始面     焦点距離
1         1       -6.5423
2         3       19.6643
3         5        8.8859
4         7       13.8325
5         9       -5.5346
6        11       14.0563
7        14       25.0223
ズームレンズ群データ
群   始面    焦点距離  レンズ構成長    前側主点位置  後側主点位置
1      1   -10.79533     3.87600        -0.48140       0.32976
2      5     9.65689     4.90900        -1.15966       0.56358
3     14    25.02229     1.44300         0.32819       0.81986
ズームレンズ群倍率
群   始面    広角       中間       望遠
1      1    0.00000    0.00000    0.00000
2      5   -0.51977   -1.21272   -2.52466
3     14    0.82612    0.77719    0.80801
【０１５９】
（数値実施例５）
数値実施例５のズームレンズ系は、図１３に示した実施の形態５に対応する。数値実施例５のズームレンズ系の面データを表１３に、非球面データを表１４に、各種データを表１５に示す。
【０１６０】
表  １３（面データ）
面番号         r           d           nd         vd
物面             ∞
1*        43.59900     0.30000     1.88300    40.8 
2*         4.57200     1.87000 
3          7.15000     1.60000     1.92287    18.9 
4         11.32800        可変
5*         4.23600     2.00000     1.77250    49.6 
6          9.39400     0.50000     1.64769    33.8 
7          3.67100     0.48000 
8          8.25100     0.50000     1.76183    26.5 
9          4.05300     2.00000     1.60311    60.6 
10        -11.60700     0.30000 
11(絞り)           ∞        可変
12         48.09900     1.60000     1.60311    60.6 
13        -28.05300        可変
14               ∞     1.40000     1.51633    64.1
15               ∞        (BF)
像面             ∞
【０１６１】
表  １４（非球面データ）
第1面
K= 0.00000E+00, A4= 2.17331E-04, A6=-5.74760E-06, A8= 5.32242E-08
A10= 7.72352E-10, A12= 2.59391E-11, A14= 3.03642E-13, A16=-1.87017E-14 
第2面
K=-1.47346E+00, A4= 1.50049E-03, A6= 1.66066E-06, A8= 1.22327E-07
A10=-1.49908E-09, A12=-1.13887E-10, A14= 6.97810E-12, A16= 1.72221E-12 
第5面
K=-3.90818E-01, A4=-1.15574E-04, A6=-1.47326E-07, A8=-5.30480E-07
A10= 6.29464E-08, A12= 0.00000E+00, A14= 0.00000E+00, A16= 0.00000E+00 
【０１６２】
表  １５（各種データ）
ズーム比      4.79875
広角      中間      望遠
焦点距離       4.2668   10.4194   20.4753
Ｆナンバー     2.99449   5.07586   6.29349
画角        41.0556   19.5893   10.0393
像高         3.3000    3.6000    3.6000
レンズ全長     31.1062   29.2955   38.5732
ＢＦ        1.02162   1.02626   1.01656
d4          11.8326    2.5052    0.1500 
d11          1.7085    7.7422   23.0251 
d13          3.9935    5.4718    1.8315 
入射瞳位置      6.3039    5.1695    4.7118
射出瞳位置     -7.8328  -18.4483 -120.8323
前側主点位置    8.5146   10.0142   21.7465
後側主点位置   26.8394   18.8761   18.0979
単レンズデータ
レンズ     始面     焦点距離
1         1       -5.8053
2         3       17.7449
3         5        8.5431
4         6       -9.6343
5         8      -11.0242
6         9        5.2323
7        12       29.6131
ズームレンズ群データ
群   始面    焦点距離  レンズ構成長    前側主点位置  後側主点位置
1      1    -9.12343     3.77000        -0.15473       0.84525
2      5     8.99051     5.78000         0.23803       1.80748
3     12    29.61311     1.60000         0.63542       1.22940
ズームレンズ群倍率
群   始面    広角       中間       望遠
1      1    0.00000    0.00000    0.00000
2      5   -0.59428   -1.54985   -2.60919
3     12    0.78695    0.73688    0.86013
【０１６３】
（数値実施例６）
数値実施例６のズームレンズ系は、図１６に示した実施の形態６に対応する。数値実施例６のズームレンズ系の面データを表１６に、非球面データを表１７に、各種データを表１８に示す。
【０１６４】
表  １６（面データ）
面番号         r           d           nd         vd
物面             ∞
1*       388.35400     0.30000     1.77200    50.0 
2*         5.00700     2.02000 
3          8.81800     1.17100     1.99537    20.7 
4         14.80000        可変
5*         4.76400     1.22300     1.80434    40.8 
6         20.42500     0.15000 
7          6.32100     0.97600     1.72000    50.3 
8         83.09200     0.01000     1.56732    42.8 
9         83.09200     0.30000     1.84666    23.8 
10          3.46000     0.79800 
11         25.79800     0.55800     1.83400    37.3 
12        -25.42400     0.44800 
13(絞り)           ∞        可変
14*        30.81700     1.38300     1.51835    70.3 
15*       -14.49800        可変
16               ∞     0.78000     1.51680    64.2
17               ∞        (BF)
像面             ∞
【０１６５】
表  １７（非球面データ）
第1面
K= 0.00000E+00, A4=-1.70236E-04, A6= 1.57345E-05, A8=-3.38808E-07
A10=-1.66954E-09, A12= 1.55183E-10, A14=-1.58235E-12, A16= 0.00000E+00 
第2面
K=-3.90260E+00, A4= 3.09719E-03, A6=-1.58540E-04, A8= 1.10039E-05
A10=-4.56689E-07, A12= 8.76183E-09, A14=-1.02722E-11, A16=-1.39663E-12 
第5面
K= 0.00000E+00, A4=-5.29795E-04, A6=-1.86252E-05, A8=-1.72108E-06
A10= 2.29543E-07, A12= 4.49667E-10, A14=-1.70054E-09, A16= 0.00000E+00 
第14面
K= 0.00000E+00, A4= 6.43797E-04, A6=-1.59684E-04, A8= 1.78702E-05
A10=-1.01388E-06, A12= 2.02058E-08, A14= 0.00000E+00, A16= 0.00000E+00 
第15面
K= 0.00000E+00, A4= 1.00911E-03, A6=-1.81490E-04, A8= 1.93687E-05
A10=-1.05735E-06, A12= 2.05281E-08, A14= 0.00000E+00, A16= 0.00000E+00 
【０１６６】
表  １８（各種データ）
ズーム比      4.74006
広角      中間      望遠
焦点距離       4.5528   10.2951   21.5805
Ｆナンバー     2.89308   4.73186   6.08560
画角        41.8796   20.9264   10.0954
像高         3.6000    3.9000    3.9000
レンズ全長     30.8970   28.7374   37.6645
ＢＦ        0.81535   0.79222   0.74193
d4          13.1497    4.0849    0.3000 
d13          3.3156   10.5660   23.8497 
d15          3.4993    3.1773    2.6559 
入射瞳位置      6.7994    5.4914    4.6019
射出瞳位置     -9.2664  -30.7783   86.0706
前側主点位置    9.2962   12.4292   31.6403
後側主点位置   26.3442   18.4424   16.0840
単レンズデータ
レンズ     始面     焦点距離
1         1       -6.5727
2         3       19.9681
3         5        7.4647
4         7        9.4517
5         9       -4.2716
6        11       15.4299
7        14       19.2213
ズームレンズ群データ
群   始面    焦点距離  レンズ構成長    前側主点位置  後側主点位置
1      1   -10.78804     3.49100        -0.49277       0.14993
2      5     9.53628     4.46300        -1.16896       0.36648
3     14    19.22127     1.38300         0.62596       1.08851
ズームレンズ群倍率
群   始面    広角       中間       望遠
1      1    0.00000    0.00000    0.00000
2      5   -0.57539   -1.27002   -2.56085
3     14    0.73345    0.75141    0.78115
【０１６７】
（数値実施例７）
数値実施例７のズームレンズ系は、図１９に示した実施の形態７に対応する。数値実施例７のズームレンズ系の面データを表１９に、非球面データを表２０に、各種データを表２１に示す。
【０１６８】
表  １９（面データ）
面番号         r           d           nd         vd
物面             ∞
1*       577.05700     0.10000     1.77200    50.0 
2*         5.17500     2.02000 
3          8.86400     0.78700     1.99537    20.7 
4         14.43100        可変
5*         4.71800     1.22300     1.80434    40.8 
6         21.37800     0.15000 
7          6.21100     0.97600     1.72000    50.3 
8         48.76700     0.01000     1.56732    42.8 
9         48.76700     0.30000     1.84666    23.8 
10          3.37500     0.79800 
11         24.64300     0.55800     1.83400    37.3 
12        -29.28600     0.44800 
13(絞り)           ∞        可変
14*        25.29100     1.01400     1.51835    70.3 
15*       -14.93700        可変
16               ∞     0.78000     1.51680    64.2
17               ∞        (BF)
像面             ∞
【０１６９】
表  ２０（非球面データ）
第1面
K= 0.00000E+00, A4=-1.41328E-04, A6= 1.77078E-05, A8=-3.80834E-07
A10=-1.96260E-09, A12= 1.69558E-10, A14=-1.70289E-12, A16= 0.00000E+00 
第2面
K=-4.07113E+00, A4= 3.01642E-03, A6=-1.53223E-04, A8= 1.09812E-05
A10=-4.52714E-07, A12= 8.75368E-09, A14=-1.94024E-11, A16=-1.24676E-12 
第5面
K= 0.00000E+00, A4=-5.25358E-04, A6=-2.41420E-05, A8=-1.41858E-06
A10= 2.33286E-07, A12=-2.78033E-09, A14=-1.46078E-09, A16= 0.00000E+00 
第14面
K= 0.00000E+00, A4= 6.43797E-04, A6=-1.59684E-04, A8= 1.78702E-05
A10=-1.01388E-06, A12= 2.02058E-08, A14= 0.00000E+00, A16= 0.00000E+00 
第15面
K= 0.00000E+00, A4= 1.00911E-03, A6=-1.81490E-04, A8= 1.93687E-05
A10=-1.05735E-06, A12= 2.05281E-08, A14= 0.00000E+00, A16= 0.00000E+00 
【０１７０】
表  ２１（各種データ）
ズーム比      4.77449
広角      中間      望遠
焦点距離       4.5209   10.2608   21.5850
Ｆナンバー     2.21864   3.44045   5.85342
画角        42.0205   20.9626   10.0596
像高         3.6000    3.9000    3.9000
レンズ全長     29.9517   27.7940   36.7648
ＢＦ        0.82306   0.80178   0.79515
d4          13.1497    4.0849    0.3000 
d13          3.3156   10.5660   23.8497 
d15          3.4993    3.1773    2.6559 
入射瞳位置      6.5390    5.0830    4.0701
射出瞳位置     -9.6953  -34.5145   66.6482
前側主点位置    9.1168   12.3627   32.7302
後側主点位置   25.4307   17.5331   15.1797
単レンズデータ
レンズ     始面     焦点距離
1         1       -6.7645
2         3       21.5638
3         5        7.2883
4         7        9.7914
5         9       -4.2956
6        11       16.1218
7        14       18.2739
ズームレンズ群データ
群   始面    焦点距離  レンズ構成長    前側主点位置  後側主点位置
1      1   -10.91313     2.90700        -0.66820      -0.35967
2      5     9.49701     4.01500        -1.28883       0.30208
3     14    18.27390     1.01400         0.42350       0.76388
ズームレンズ群倍率
群   始面    広角       中間       望遠
1      1    0.00000    0.00000    0.00000
2      5   -0.57406   -1.26985   -2.57097
3     14    0.72164    0.74043    0.76932
【０１７１】
（数値実施例８）
数値実施例８のズームレンズ系は、図２２に示した実施の形態８に対応する。数値実施例８のズームレンズ系の面データを表２２に、非球面データを表２３に、各種データを表２４に示す。
【０１７２】
表  ２２（面データ）
面番号         r           d           nd         vd
物面             ∞
1*        43.35000     0.10000     1.88300    40.8 
2*         4.63400     1.80100 
3          7.02800     0.89200     1.92287    18.9 
4         11.21300        可変
5*         4.23300     2.00000     1.77250    49.6 
6          9.10100     0.50000     1.64769    33.8 
7          3.65000     0.48000 
8          8.19600     0.50000     1.76183    26.5 
9          4.03100     2.00000     1.60311    60.6 
10        -11.56500     0.30000 
11(絞り)           ∞        可変
12         35.71000     0.53500     1.60311    60.6 
13        -38.28900        可変
14               ∞     1.40000     1.51633    64.1
15               ∞        (BF)
像面             ∞
【０１７３】
表  ２３（非球面データ）
第1面
K= 0.00000E+00, A4= 2.22751E-04, A6=-5.57619E-06, A8= 5.24555E-08
A10= 7.84525E-10, A12= 2.86538E-11, A14= 3.52576E-13, A16=-2.47398E-14 
第2面
K=-1.47289E+00, A4= 1.49495E-03, A6= 1.63460E-06, A8= 2.30658E-07
A10= 3.22245E-09, A12= 1.59094E-11, A14= 4.57897E-12, A16= 9.80534E-13 
第5面
K=-3.91335E-01, A4=-1.31856E-04, A6= 1.04723E-05, A8=-2.19704E-07
A10=-1.31946E-07, A12= 0.00000E+00, A14= 0.00000E+00, A16= 0.00000E+00 
【０１７４】
表  ２４（各種データ）
ズーム比      4.79761
広角      中間      望遠
焦点距離       4.2700   10.4414   20.4858
Ｆナンバー     2.44803   3.71028   6.20650
画角        41.6796   19.6031   10.0133
像高         3.3000    3.6000    3.6000
レンズ全長     30.1328   27.6130   36.1785
ＢＦ        1.03360   1.04041   1.02915
d4          12.3267    2.5746    0.1500 
d11          2.0724    7.8501   23.0014 
d13          4.1921    5.6399    1.4900 
入射瞳位置      6.0761    4.7652    4.2292
射出瞳位置     -8.0502  -18.1308 -101.9046
前側主点位置    8.3389    9.5198   20.6380
後側主点位置   25.8628   17.1716   15.6927
単レンズデータ
レンズ     始面     焦点距離
1         1       -5.8833
2         3       18.5105
3         5        8.6887
4         6       -9.7608
5         8      -10.9823
6         9        5.2074
7        12       30.7202
ズームレンズ群データ
群   始面    焦点距離  レンズ構成長    前側主点位置  後側主点位置
1      1    -9.43753     2.79300        -0.49513      -0.07971
2      5     9.02732     5.48000         0.23639       1.80412
3     12    30.72022     0.53500         0.16149       0.36185
ズームレンズ群倍率
群   始面    広角       中間       望遠
1      1    0.00000    0.00000    0.00000
2      5   -0.56969   -1.48137   -2.46023
3     12    0.79420    0.74685    0.88231
【０１７５】
（数値実施例９）
数値実施例９のズームレンズ系は、図２５に示した実施の形態９に対応する。数値実施例９のズームレンズ系の面データを表２５に、非球面データを表２６に、各種データを表２７に示す。
【０１７６】
表  ２５（面データ）
面番号         r           d           nd         vd
物面             ∞
1*      1695.36900     0.10000     1.77200    50.0 
2*         5.00000     2.02000 
3          8.67000     0.78700     1.99537    20.7 
4         14.48800        可変
5*         4.69200     1.22300     1.80434    40.8 
6         19.35900     0.15000 
7          6.13300     0.97600     1.72000    50.3 
8         61.32000     0.01000     1.56732    42.8 
9         61.32000     0.30000     1.84666    23.8 
10          3.36800     0.79800 
11         24.07500     0.55800     1.83400    37.3 
12        -26.22100     0.48800 
13(絞り)         ∞        可変
14*        42.12100     1.01400     1.51835    70.3 
15*       -14.33000        可変
16         25.04600     0.50000     1.51680    64.2 
17         43.18400     0.40000 
18               ∞     0.28000     1.51680    64.2
19               ∞        (BF)
像面             ∞
【０１７７】
表  ２６（非球面データ）
第1面
K= 0.00000E+00, A4=-1.78655E-04, A6= 1.78850E-05, A8=-3.97728E-07
A10=-1.54273E-09, A12= 1.76094E-10, A14=-1.87170E-12, A16= 0.00000E+00 
第2面
K=-3.79730E+00, A4= 3.03280E-03, A6=-1.51755E-04, A8= 1.07402E-05
A10=-4.51070E-07, A12= 8.93059E-09, A14=-1.72068E-11, A16=-1.39873E-12 
第5面
K= 0.00000E+00, A4=-5.25998E-04, A6=-2.96663E-05, A8= 4.21460E-07
A10= 1.28255E-07, A12=-2.65635E-08, A14= 8.48687E-10, A16= 0.00000E+00 
第14面
K= 0.00000E+00, A4= 6.43797E-04, A6=-1.59684E-04, A8= 1.78702E-05
A10=-1.01388E-06, A12= 2.02058E-08, A14= 0.00000E+00, A16= 0.00000E+00 
第15面
K= 0.00000E+00, A4= 1.00911E-03, A6=-1.81490E-04, A8= 1.93687E-05
A10=-1.05735E-06, A12= 2.05281E-08, A14= 0.00000E+00, A16= 0.00000E+00 
【０１７８】
表  ２７（各種データ）
ズーム比      4.72709
広角      中間      望遠
焦点距離       4.5498   10.2364   21.5074
Ｆナンバー     2.26419   3.48945   5.90718
画角        41.9033   20.9704   10.0886
像高         3.6000    3.9000    3.9000
レンズ全長     30.1928   27.9553   36.7971
ＢＦ        0.40673   0.38827   0.34716
d4          13.1360    4.1603    0.3000 
d13          3.5311   10.6830   23.7691 
d15          3.5550    3.1597    2.8168 
入射瞳位置      6.3953    4.9993    3.9956
射出瞳位置    -11.1178  -40.8409   58.7768
前側主点位置    9.1489   12.6942   33.4197
後側主点位置   25.6430   17.7188   15.2897
単レンズデータ
レンズ     始面     焦点距離
1         1       -6.4960
2         3       20.3194
3         5        7.4235
4         7        9.3951
5         9       -4.2192
6        11       15.1256
7        14       20.7549
8        16      114.3117
ズームレンズ群データ
群   始面    焦点距離  レンズ構成長    前側主点位置  後側主点位置
1      1   -10.68426     2.90700        -0.71594      -0.42959
2      5     9.44926     4.01500        -1.19933       0.34857
3     14    20.75494     1.01400         0.50138       0.84343
4     16   114.31172     1.18000        -0.45095      -0.18213
ズームレンズ群倍率
群   始面    広角       中間       望遠
1      1    0.00000    0.00000    0.00000
2      5   -0.57240   -1.25445   -2.57314
3     14    0.75566    0.77562    0.79419
4     16    0.98453    0.98469    0.98505
【０１７９】
（数値実施例１０）
数値実施例１０のズームレンズ系は、図２８に示した実施の形態１０に対応する。数値実施例１０のズームレンズ系の面データを表２８に、非球面データを表２９に、各種データを表３０示す。
【０１８０】
表  ２８（面データ）
面番号         r           d           nd         vd
物面             ∞
1*        77.76600     0.30000     1.80470    41.0 
2*         4.62600     1.94300 
3          8.92900     1.50400     2.01960    21.5 
4         16.94100        可変
5*         5.70000     1.19600     1.80359    40.8 
6         27.40300     0.15000 
7          5.35800     1.53300     1.49700    81.6 
8         23.32100     0.01000     1.56732    42.8 
9         23.32100     0.30000     1.84666    23.8 
10          3.77400     0.63500 
11         23.14600     0.70000     1.83481    42.7 
12        -23.14600     0.44800 
13(絞り)           ∞        可変
14*        16.73500     1.36200     1.51845    70.0 
15*       -35.04600        可変
16               ∞     0.78000     1.51680    64.2
17               ∞        (BF)
像面             ∞
【０１８１】
表  ２９（非球面データ）
第1面
K= 0.00000E+00, A4=-4.96052E-05, A6=-5.44364E-06, A8= 1.84959E-07
A10=-1.85294E-09, A12= 0.00000E+00, A14= 0.00000E+00, A16= 0.00000E+00 
第2面
K=-7.01947E-01, A4=-6.24141E-06, A6=-1.63099E-05, A8= 1.31846E-06
A10=-1.11371E-07, A12= 5.01378E-09, A14=-9.87969E-11, A16= 5.64359E-13 
第5面
K= 0.00000E+00, A4=-2.75821E-04, A6=-3.29535E-05, A8= 8.16234E-06
A10=-1.41592E-06, A12= 1.12370E-07, A14=-3.21408E-09, A16= 0.00000E+00 
第14面
K= 0.00000E+00, A4=-1.38176E-05, A6=-6.21437E-05, A8= 9.32874E-06
A10=-5.46078E-07, A12= 9.60122E-09, A14= 0.00000E+00, A16= 0.00000E+00 
第15面
K= 0.00000E+00, A4= 2.21664E-04, A6=-1.07372E-04, A8= 1.35168E-05
A10=-7.28810E-07, A12= 1.26395E-08, A14= 0.00000E+00, A16= 0.00000E+00 
【０１８２】
表  ３０（各種データ）
ズーム比      4.74774
広角      中間      望遠
焦点距離       4.6588   10.1500   22.1189
Ｆナンバー     2.90561   4.46552   6.13304
画角        41.0090   21.3536    9.9582
像高         3.6000    3.9000    3.9000
レンズ全長     33.5016   29.1418   38.8021
ＢＦ        0.72591   0.73278   0.65613
d4          14.7264    4.2856    0.3000 
d13          4.9288    9.6091   24.0017 
d15          2.2595    3.6533    2.9833 
入射瞳位置      6.9823    5.6706    4.8359
射出瞳位置    -10.2281  -22.7556  233.9706
前側主点位置    9.6597   11.4345   29.0518
後側主点位置   28.8428   18.9918   16.6832
単レンズデータ
レンズ     始面     焦点距離
1         1       -6.1235
2         3       16.9141
3         5        8.7415
4         7       13.6108
5         9       -5.3558
6        11       13.9591
7        14       22.0447
ズームレンズ群データ
群   始面    焦点距離  レンズ構成長    前側主点位置  後側主点位置
1      1   -10.77079     3.74700        -0.57077       0.24304
2      5     9.62416     4.97200        -1.27736       0.50691
3     14    22.04473     1.36200         0.29252       0.74942
ズームレンズ群倍率
群   始面    広角       中間       望遠
1      1    0.00000    0.00000    0.00000
2      5   -0.53173   -1.25661   -2.62009
3     14    0.81346    0.74992    0.78379
【０１８３】
以下の表３１に、数値実施例１〜１０のズームレンズ系における各条件の対応値を示す。ただし表３１中、ＹWは、
ＹW：広角端での全系の焦点距離ｆWにおける、第２レンズ群の、最大ぶれ補正時の光軸に対して垂直方向への移動量
を示し、ズームレンズ系が広角端の状態のとき、すなわち条件式（１０）においてＹ＝ＹW（ｆ＝ｆW）のときの対応値（ＹW／ＹT）／（ｆW／ｆT）を求めた。
【０１８４】
表  ３１（条件の対応値）
【表１】
0005498495.tif 000003
【表２】
0005498495.tif 000004
【産業上の利用可能性】
【０１８５】
本発明に係るズームレンズ系は、デジタルカメラ、携帯電話機器、ＰＤＡ（Ｐｅｒｓｏｎａｌ  Ｄｉｇｉｔａｌ  Ａｓｓｉｓｔａｎｃｅ）、監視システムにおける監視カメラ、Ｗｅｂカメラ、車載カメラ等のデジタル入力装置に適用可能であり、特にデジタルカメラ等の高画質が要求される撮影光学系に好適である。
【符号の説明】
【０１８６】
Ｇ１  第１レンズ群
Ｇ２  第２レンズ群
Ｇ３  第３レンズ群
Ｇ４  第４レンズ群
Ｌ１  第１レンズ素子
Ｌ２  第２レンズ素子
Ｌ３  第３レンズ素子
Ｌ４  第４レンズ素子
Ｌ５  第５レンズ素子
Ｌ６  第６レンズ素子
Ｌ７  第７レンズ素子
Ｌ８  第８レンズ素子
Ｐ  平行平板
Ａ  開口絞り
Ｓ  像面
１  ズームレンズ系
２  撮像素子
３  液晶モニタ
４  筐体
５  主鏡筒
６  移動鏡筒
７  円筒カム
【図１】
0005498495.tif 000005
【図２】
0005498495.tif 000006
【図３】
0005498495.tif 000007
【図４】
0005498495.tif 000008
【図５】
0005498495.tif 000009
【図６】
0005498495.tif 000010
【図７】
0005498495.tif 000011
【図８】
0005498495.tif 000012
【図９】
0005498495.tif 000013
【図１０】
0005498495.tif 000014
【図１１】
0005498495.tif 000015
【図１２】
0005498495.tif 000016
【図１３】
0005498495.tif 000017
【図１４】
0005498495.tif 000018
【図１５】
0005498495.tif 000019
【図１６】
0005498495.tif 000020
【図１７】
0005498495.tif 000021
【図１８】
0005498495.tif 000022
【図１９】
0005498495.tif 000023
【図２０】
0005498495.tif 000024
【図２１】
0005498495.tif 000025
【図２２】
0005498495.tif 000026
【図２３】
0005498495.tif 000027
【図２４】
0005498495.tif 000028
【図２５】
0005498495.tif 000029
【図２６】
0005498495.tif 000030
【図２７】
0005498495.tif 000031
【図２８】
0005498495.tif 000032
【図２９】
0005498495.tif 000033
【図３０】
0005498495.tif 000034
【図３１】
0005498495.tif 000035